(57)【特許請求の範囲】
【請求項１】
ワイヤレスデバイスにおける通信の方法であって、
第１のワイヤレス通信ネットワーク上でのワイヤレス通信のための狭帯域トーンの第１のセットを識別することと、
狭帯域トーンの前記第１のセットのうちのトーンの第２のグループよりも高い電力の送信をサポートするトーンの第１のグループを狭帯域トーンの前記第１のセットから識別することと、トーンの前記第１のグループの前記識別が、トーンの前記第１のグループが第２のワイヤレス通信ネットワーク上でのワイヤレス通信のための広帯域トーンのセットに対して干渉を引き起こす程度を示す干渉レベルに少なくとも部分的に基づく、
を備え、
ここにおいて、狭帯域トーンの前記第１のセットが、前記第１のワイヤレス通信ネットワークの第１の利用可能なアップリンクおよびダウンリンク帯域幅中の隣接するトーンの間に第１の周波数間隔を有する第１の複数のトーンを備え、広帯域トーンの前記セットが、前記第２のワイヤレス通信ネットワークの第２の利用可能なアップリンクおよびダウンリンク帯域幅中の隣接するトーンの間に第２の周波数間隔を有する第２の複数のトーンを備え、
ここにおいて、前記第２の周波数間隔が前記第１の周波数間隔の整数倍であり、
ここにおいて、前記第１のワイヤレス通信ネットワークの周波数キャリアと前記第２のワイヤレス通信ネットワークの周波数キャリアとの間の間隔が、前記第１の周波数間隔の整数倍である、方法。
【請求項２】
トーンの前記第１のグループが、狭帯域トーンの前記第１のセットのうちのトーンの前記第２のグループと比較して広帯域トーンの前記セットのトーンに対してより少ない干渉を引き起こすトーンを備える、請求項１に記載の方法。
【請求項３】
ユーザ機器（ＵＥ）がトーンの前記第１のグループ上での送信を必要とするチャネル状態を有すると決定することと、
トーンの前記第１のグループが前記第１のワイヤレス通信ネットワーク上での前記ＵＥのアップリンク送信において使用するために割り振られることを示すリソース割振りを前記ＵＥに送信することと
をさらに備える、請求項１に記載の方法。
【請求項４】
トーンの前記第１のグループのうちの１つまたは複数のトーン上でより高い電力の送信を使用して１つまたは複数のダウンリンク送信を第１のＵＥに送信することと、
トーンの前記第２のグループのうちの１つまたは複数のトーン上でより低い電力の送信を使用して１つまたは複数のダウンリンク送信を第２のＵＥに送信することと
をさらに備える、請求項１に記載の方法。
【請求項５】
前記第１のＵＥが、信頼できる通信のためにより高い電力の送信が必要とされることを示すチャネル状態を有すると決定すること
をさらに備える、請求項４に記載の方法。
【請求項６】
前記決定することが、前記第１のＵＥへの前記通信または前記第１のＵＥからの前記通信のためのレイテンシターゲットと前記第１のＵＥに関連する経路損失とに少なくとも部分的に基づき、前記レイテンシターゲットは、前記第１のＵＥへの前記通信または前記第１のＵＥからの前記通信に関連する優先度から決定され、前記経路損失は、前記第１のＵＥが基地局にチャネル品質情報を送信することに少なくとも部分的に基づいて決定される、請求項５に記載の方法。
【請求項７】
前記１つまたは複数のダウンリンク送信を前記第１のＵＥに送信することが、トーンの前記第１のグループのトーンの間の周波数ホッピングを使用することを備える、請求項４に記載の方法。
【請求項８】
トーンの前記第２のグループの２つまたはそれ以上のサブセットを識別するためにトーンの前記第２のグループ内のフラクショナル周波数再利用を採用することと、
それぞれトーンの前記第１のグループのための送信電力よりも低い異なる電力を使用して、前記２つまたはそれ以上のサブセット上でダウンリンク通信を送信することと
をさらに備える、請求項１に記載の方法。
【請求項９】
トーンの前記第１のグループを狭帯域トーンの前記第１のセットから前記識別することが、
トーンの前記第１のグループがアップリンク送信のために使用されるべきであることを示すリソース割振りを基地局から受信すること
を備える、請求項１に記載の方法。
【請求項１０】
トーンの前記第１のグループのうちの１つまたは複数のトーン上で１つまたは複数のアップリンク送信を前記基地局に送信すること
をさらに備える、請求項９に記載の方法。
【請求項１１】
前記１つまたは複数のアップリンク送信を前記基地局に送信することが、トーンの前記第１のグループのトーンの間の周波数ホッピングを使用して送信することを備える、
をさらに備える、請求項１０に記載の方法。
【請求項１２】
トーンの前記第２のグループがアップリンク送信のために使用されるべきであることを示すリソース割振りを基地局から受信することと、
トーンの前記第２のグループの２つまたはそれ以上のサブセットを識別するためにトーンの前記第２のグループ内のフラクショナル周波数再利用を採用することと、
それぞれトーンの前記第１のグループのための送信電力よりも低い異なる電力を使用して前記２つまたはそれ以上のサブセット上でアップリンク通信を送信することと
をさらに備える、請求項１に記載の方法。
【請求項１３】
狭帯域トーンの前記第１のセットが直交周波数分割多元接続（ＯＦＤＭＡ）トーンを備え、広帯域トーンの前記セットがＯＦＤＭＡトーンを備える、請求項１に記載の方法。
【請求項１４】
ワイヤレスデバイスにおける通信のための装置であって、
請求項１ないし１３のいずれか一項に記載のステップを行うように構成された手段  を備える装置。
【請求項１５】
ワイヤレスデバイスにおける通信のためのコードを記憶する非一時的なコンピュータ可読媒体であって、前記コードは、請求項１ないし１３のいずれか一項に記載のこれらステップを行うように構成された、プロセッサ上で実行可能な命令を備える、非一時的なコンピュータ可読媒体。
【発明の詳細な説明】
【技術分野】
【０００１】
相互参照
[0001]本特許出願は、各々が本出願の譲受人に譲渡された、２０１６年１月６日に出願された、「Frequency Resource Allocation for a Narrow-Band Cellular Internet of Things System」と題する、Ｌｉらによる米国特許出願第１４／９８８，８７８号、および２０１５年２月２５日に出願された、「Frequency Resource Allocation for a Narrow-Band Cellular Internet of Things System」と題する、Ｌｉらによる米国仮特許出願第６２／１２０，７６３号の優先権を主張する。
【０００２】
[0002]以下は、一般にワイヤレス通信に関し、より詳細には、セルラーモノのインターネット（ＣＩｏＴ：Cellular Internet of Things）システムのための周波数リソース（トーン）の割振りに関する。
【背景技術】
【０００３】
[0003]ワイヤレス通信システムは、音声、ビデオ、パケットデータ、メッセージング、ブロードキャストなどの様々なタイプの通信コンテンツを提供するために広く展開されている。これらのシステムは、利用可能なシステムリソース（たとえば、時間、周波数、および電力）を共有することによって複数のユーザとの通信をサポートすることが可能な多元接続システムであり得る。そのような多元接続システムの例としては、符号分割多元接続（ＣＤＭＡ）システム、時分割多元接続（ＴＤＭＡ）システム、周波数分割多元接続（ＦＤＭＡ）システム、および直交周波数分割多元接続（ＯＦＤＭＡ）システム（たとえば、ロングタームエボリューション（ＬＴＥ（登録商標））システム）がある。
【０００４】
[0004]例として、ワイヤレス多元接続通信システムは、場合によってはユーザ機器（ＵＥ）として知られていることがある、複数の通信デバイスのための通信を各々が同時にサポートする、いくつかの基地局を含み得る。基地局は、（たとえば、基地局からＵＥへの送信のために）ダウンリンクチャネル上でＵＥと通信し、（たとえば、ＵＥから基地局への送信のために）アップリンクチャネル上でＵＥと通信し得る。
【０００５】
[0005]いくつかのＵＥは、自動通信を提供し得る。自動ＵＥは、マシンツーマシン（Ｍ２Ｍ）通信またはマシンタイプ通信（ＭＴＣ）を実装するものを含み得る。Ｍ２ＭまたはＭＴＣは、デバイスが人の介入なしに互いにまたは基地局と通信することを可能にするデータ通信技術を指すことがある。Ｍ２ＭまたはＭＴＣデバイスは、ＵＥを含み得、モノのインターネット（ＩｏＴ）の一部として使用され得る。ＩｏＴ中のいくつかのＭ２ＭまたはＭＴＣデバイスは、パーキングメーター、水道およびガスメーター、ならびに少量のデータを低頻度で通信し得る他のセンサーを含み得る。
【０００６】
[0006]いくつかの場合には、ＩｏＴ中のものを含んで、ＵＥは、低スループットまたは低頻度データ転送のために設計された電力制限デバイスであり得る。いくつかの場合には、ＵＥは、隣接するワイヤレス通信ネットワークの他のワイヤレス通信帯域と重複する周波数帯域上でワイヤレス通信を送信および受信するように構成され得る。そのような重複は、一方または両方のワイヤレス通信ネットワークへの干渉を生じ得る。
【発明の概要】
【０００７】
[0007]本開示は、一般にワイヤレス通信システムに関し、より詳細には、セルラーモノのインターネット（ＣＩｏＴ）システムのための周波数リソースまたはトーンの割振りのための改善されたシステム、方法、および装置に関し得る。様々な態様では、隣接するワイヤレス通信システムの送信との低減された干渉を有することとなり、したがって、より高い電力の送信をサポートし得る、ＣＩｏＴシステムのためのトーンの第１のグループを識別することを通して、ＣＩｏＴシステムおよび隣接するワイヤレス通信システムについての干渉が低減され得る。
【０００８】
[0008]比較的悪いチャネル状態を有し、より高い電力の送信から恩恵を受けるであろう、ＣＩｏＴシステム中のユーザ機器（ＵＥ）が識別され得る。そのようなＵＥとの通信は、より高い電力の送信をサポートするトーンの第１のグループを通して実行され得、より良好なチャネル状態を有する他のＵＥとの通信は、より低い電力の送信を有する他のトーンを通して実行され得る。いくつかの例では、トーンの第１のグループのトーンの間の周波数ホッピングを通して干渉緩和をさらに向上させるために、周波数ダイバーシティが採用され得る。いくつかの例では、残りのトーンは、干渉平均化とさらなる干渉緩和とを与えるためにフラクショナル周波数再利用（ＦＦＲ：fractional frequency reuse）技法を通して２つまたはそれ以上のサブセットに分割され得る。
【０００９】
[0009]ワイヤレスデバイスにおけるワイヤレス通信の方法が説明される。本方法は、第１のワイヤレス通信ネットワーク上でのワイヤレス通信のための狭帯域トーンの第１のセットを識別することと、狭帯域トーンの第１のセットのうちのトーンの第２のグループよりも高い電力の送信をサポートするトーンの第１のグループを狭帯域トーンの第１のセットから識別することと、識別が、第１のグループのトーンと第２のワイヤレス通信ネットワーク上でのワイヤレス通信のための広帯域トーンの第２のセットとの間の干渉レベルに少なくとも部分的に基づく、を含み得る。
【００１０】
[0010]ワイヤレスデバイスにおけるワイヤレス通信のための装置が説明される。本装置は、第１のワイヤレス通信ネットワーク上でのワイヤレス通信のための狭帯域トーンの第１のセットを識別するための手段と、狭帯域トーンの第１のセットのうちのトーンの第２のグループよりも高い電力の送信をサポートするトーンの第１のグループを狭帯域トーンの第１のセットから識別するための手段と、識別が、第１のグループのトーンと第２のワイヤレス通信ネットワーク上でのワイヤレス通信のための広帯域トーンの第２のセットとの間の干渉レベルに少なくとも部分的に基づく、を含み得る。
【００１１】
[0011]ワイヤレスデバイスにおけるワイヤレス通信のためのさらなる装置が説明される。本装置は、プロセッサと、プロセッサと電子通信しているメモリと、メモリに記憶された命令とを含み得、ここにおいて、命令は、第１のワイヤレス通信ネットワーク上でのワイヤレス通信のための狭帯域トーンの第１のセットを識別することと、狭帯域トーンの第１のセットのうちのトーンの第２のグループよりも高い電力の送信をサポートするトーンの第１のグループを狭帯域トーンの第１のセットから識別することと、識別が、第１のグループのトーンと第２のワイヤレス通信ネットワーク上でのワイヤレス通信のための広帯域トーンの第２のセットとの間の干渉レベルに少なくとも部分的に基づく、を行うためにプロセッサによって実行可能である。
【００１２】
[0012]ワイヤレスデバイスにおけるワイヤレス通信のためのコードを記憶する非一時的コンピュータ可読媒体が説明される。コードは、第１のワイヤレス通信ネットワーク上でのワイヤレス通信のための狭帯域トーンの第１のセットを識別することと、狭帯域トーンの第１のセットのうちのトーンの第２のグループよりも高い電力の送信をサポートするトーンの第１のグループを狭帯域トーンの第１のセットから識別することと、識別が、第１のグループのトーンと第２のワイヤレス通信ネットワーク上でのワイヤレス通信のための広帯域トーンの第２のセットとの間の干渉レベルに少なくとも部分的に基づく、を行うために実行可能な命令を含み得る。
【００１３】
[0013]上記で説明された方法、装置、または非一時的コンピュータ可読媒体のいくつかの例では、狭帯域トーンの第１のセットが、第１のワイヤレス通信ネットワークの第１の利用可能なアップリンク／ダウンリンク帯域幅中の隣接するトーンの間に第１の周波数間隔を有する複数のトーンを備え、広帯域トーンの第２のセットが、第２のワイヤレス通信ネットワークの第２の利用可能なアップリンク／ダウンリンク帯域幅中の隣接するトーンの間に第２の周波数間隔を有する複数のトーンを備え、第２の周波数間隔が第１の周波数間隔の整数倍である。追加または代替として、いくつかの例では、第１のワイヤレス通信ネットワークの周波数キャリアと第２のワイヤレス通信ネットワークの周波数キャリアとの間の間隔が、第１の周波数間隔の整数倍である。
【００１４】
[0014]上記で説明された方法、装置、または非一時的コンピュータ可読媒体のいくつかの例では、トーンの第１のグループが、狭帯域トーンの第１のセットのうちのトーンの第２のグループと比較して広帯域トーンの第２のセットのトーンとのより少ない干渉を生成するトーンを備える。追加または代替として、いくつかの例は、ＵＥがトーンの第１のグループ上での送信を必要とするチャネル状態を有すると決定することと、トーンの第１のグループが第１のワイヤレス通信ネットワーク上でのアップリンク送信において使用するために割り振られることを示すリソース割振りをＵＥに送信することとを含み得る。
【００１５】
[0015]上記で説明された方法、装置、または非一時的コンピュータ可読媒体のいくつかの例は、トーンの第１のグループのうちの１つまたは複数のトーン上でより高い電力の送信を使用して１つまたは複数のダウンリンク送信を第１のＵＥに送信することと、第２のグループトーンのうちの１つまたは複数のトーン上でより低い電力の送信を使用して１つまたは複数のダウンリンク送信を第２のＵＥに送信することとをさらに含み得る。追加または代替として、いくつかの例は、第１のＵＥが、信頼できる通信のためにより高い電力の送信が必要であることを示すチャネル状態を有すると決定することを含み得る。
【００１６】
[0016]上記で説明された方法、装置、または非一時的コンピュータ可読媒体のいくつかの例では、決定することは、第１のＵＥへの通信のためのレイテンシターゲットと第１のＵＥに関連する経路損失とに少なくとも部分的に基づく。追加または代替として、いくつかの例は、トーンの第１のグループのトーンの間の周波数ホッピングを使用する送信を備える、第１のＵＥへの１つまたは複数のダウンリンク送信の送信を含み得る。
【００１７】
[0017]上記で説明された方法、装置、または非一時的コンピュータ可読媒体のいくつかの例は、トーンの第２のグループの２つまたはそれ以上のサブセットを識別するためにトーンの第２のグループ内のフラクショナル周波数再利用を採用することと、それぞれトーンの第１のグループのための送信電力よりも低い異なる送信電力を使用して、２つまたはそれ以上のサブセット上でダウンリンク通信を送信することとをさらに含み得る。追加または代替として、いくつかの例では、トーンの第１のグループを狭帯域トーンの第１のセットから識別することは、トーンの第１のグループがアップリンク送信のために使用されるべきであることを示すリソース割振りを基地局から受信することを備える。
【００１８】
[0018]上記で説明された方法、装置、または非一時的コンピュータ可読媒体のいくつかの例は、トーンの第１のグループのうちの１つまたは複数のトーン上で１つまたは複数のアップリンク送信を基地局に送信することをさらに含み得る。追加または代替として、いくつかの例は、トーンの第１のグループのトーンの間の周波数ホッピングを使用する送信を備える、基地局への１つまたは複数のアップリンク送信の送信を含み得る。
【００１９】
[0019]上記で説明された方法、装置、または非一時的コンピュータ可読媒体のいくつかの例は、トーンの第２のグループがアップリンク送信のために使用されるべきであることを示すリソース割振りを基地局から受信することと、トーンの第２のグループの２つまたはそれ以上のサブセットを識別するためにトーンの第２のグループ内のフラクショナル周波数再利用を採用することと、それぞれトーンの第１のグループのための送信電力よりも低い異なる送信電力を使用して、２つまたはそれ以上のサブセット上でアップリンク通信を送信することとをさらに含み得る。追加または代替として、いくつかの例では、狭帯域トーンの第１のセットが直交周波数分割多元接続（ＯＦＤＭＡ）トーンを備え、広帯域トーンの第２のセットがＯＦＤＭＡトーンを備える。
【００２０】
[0020]上記は、以下の発明を実施するための形態がより良く理解され得るように、本開示による例の特徴および技術的利点についてやや広く概説した。以下で、追加の特徴および利点が説明される。開示される概念および具体例は、本開示の同じ目的を実行するための他の構造を変更または設計するための基礎として容易に利用され得る。そのような等価な構成は、添付の特許請求の範囲から逸脱しない。本明細書で開示される概念の特性、それらの編成と動作方法の両方は、関連する利点とともに、添付の図に関連して以下の説明を検討するとより良く理解されよう。図の各々は、例示および説明のみの目的で与えられるものであり、特許請求の範囲の制限の定義として与えられるものではない。
【００２１】
[0021]本開示の性質および利点のさらなる理解は、以下の図面を参照することによって実現され得る。添付の図では、同様の構成要素または特徴は同じ参照ラベルを有し得る。さらに、同じタイプの様々な構成要素は、参照ラベルの後に、ダッシュと、それらの同様の構成要素の間で区別する第２のラベルとを続けることによって区別され得る。第１の参照ラベルのみが本明細書において使用される場合、説明は、第２の参照ラベルにかかわらず、同じ第１の参照ラベルを有する同様の構成要素のいずれにも適用可能である。
【図面の簡単な説明】
【００２２】
【図１】[0022]本開示の様々な態様による、セルラーモノのインターネット（ＣＩｏＴ）システムのための周波数リソースの割振りのためのワイヤレス通信システムの一例を示す図。
【図２】[0023]本開示の様々な態様による、ＣＩｏＴシステムのための周波数リソースの割振りのためのワイヤレス通信サブシステムの一例を示す図。
【図３Ａ】[0024]本開示の様々な態様による、ＣＩｏＴシステムおよび隣接するワイヤレス通信システムのための周波数トーンの周波数領域ロケーションの一例を示す図。
【図３Ｂ】[0025]本開示の様々な態様による、ＣＩｏＴシステムおよび隣接するワイヤレス通信システム中で送信されるシンボルの時間領域ロケーションの一例を示す図。
【図４】[0026]本開示の様々な態様による、ＣＩｏＴシステムのための周波数リソースの割振りのためのトーングループ化の一例を示す図。
【図５】[0027]本開示の様々な態様による、ＣＩｏＴシステムのためのネイバリングセルにわたるダウンリンクトーン割振りの一例を示す図。
【図６】[0028]本開示の様々な態様による、ＣＩｏＴシステムのための周波数リソースの割振りのためのプロセスフロー図の一例を示す図。
【図７】[0029]本開示の様々な態様による、ＣＩｏＴシステムのための周波数リソースの割振りのために構成されたデバイスのブロック図。
【図８】[0030]本開示の様々な態様による、ＣＩｏＴシステムのための周波数リソースの割振りのために構成されたデバイスのブロック図。
【図９】[0031]本開示の様々な態様による、ＣＩｏＴシステムのための周波数リソースの割振りのために構成された通信管理モジュールのブロック図。
【図１０】[0032]本開示の様々な態様による、ＣＩｏＴシステムのための周波数リソースの割振りのために構成されたＵＥを含むシステムのブロック図。
【図１１】[0033]本開示の様々な態様による、ＣＩｏＴシステムのための周波数リソースの割振りのために構成された基地局を含むシステムのブロック図。
【図１２】[0034]本開示の様々な態様による、ＣＩｏＴシステムのための周波数リソースの割振りのための方法を示すフローチャート。
【図１３】[0035]本開示の様々な態様による、ＣＩｏＴシステムのための周波数リソースの割振りのための方法を示すフローチャート。
【図１４】[0036]本開示の様々な態様による、ＣＩｏＴシステムのための周波数リソースの割振りのための方法を示すフローチャート。
【図１５】[0037]本開示の様々な態様による、ＣＩｏＴシステムのための周波数リソースの割振りのための方法を示すフローチャート。
【図１６】[0038]本開示の様々な態様による、ＣＩｏＴシステムのための周波数リソースの割振りのための方法を示すフローチャート。
【発明を実施するための形態】
【００２３】
[0039]ワイヤレス通信する自動デバイスのネットワークは、いくつかの場合には、モノのインターネット（ＩｏＴ）と呼ばれることがある。ＩｏＴネットワークを介して通信するデバイス（たとえば、マシンタイプ通信（ＭＴＣ）デバイス）は、自動メーター、センサーなどを含み得る。いくつかの事例では、自動デバイスは、比較的低いスループットの適用例（たとえば、更新を基地局に送る水位センサー）を有し得る。セルラーモノのインターネット（ＣＩｏＴ）と呼ばれる、認可スペクトルにおいて動作するセルラーシステムを含む、自動デバイスによる使用のために利用可能ないくつかのワイヤレス通信システムがあり得る。しかしながら、セルラーシステムは、高スループット適用例を使用するデバイスのために使用され得る。低スループット状態（たとえば、低頻度および小規模データ転送）に従って動作するデバイスは、より高いスループットのデバイスに関連するものとは異なる設計考慮事項を提示し得る。たとえば、自動デバイスは、バッテリー交換なしに長い時間期間の間動作するように設計され得る。
【００２４】
[0040]ＬＴＥなど、いくつかのセルラーシステムでは、比較的広い帯域幅と比較的広く分離された周波数トーン（たとえば、１５ｋＨｚトーン間隔）とを有する明確なチャネル構造があり得る。さらに、隣接するＣＩｏＴシステムは、ＣＩｏＴシステム中のＵＥの比較的小規模および低頻度送信のためのデータ送信レートをサポートするのに十分な、比較的狭い帯域幅（たとえば、２．５ｋＨｚだけ離間した７２個のトーンをもつ２００ｋＨｚ帯域幅）を有し得る。したがって、ＩｏＴ設計考慮事項を補う周波数リソースの割振りに従って動作することが、ＣＩｏＴデバイスおよびＣＩｏＴ基地局にとって適切であり得る。
【００２５】
[0041]たとえば、周波数リソースの割振りは、ＣＩｏＴ  ＵＥのチャネル状態と、より高い電力の送信をサポートし得るトーンとに基づいて決定され得る。いくつかの例では、ＣＩｏＴシステムは狭帯域直交周波数分割多元接続（ＯＦＤＭＡ）システムであり得、ネイバリングワイヤレス通信システムは広帯域ＯＦＤＭＡシステムであり得る。いくつかの例では、ネットワーク展開は、狭帯域ＯＦＤＭＡ  ＣＩｏＴシステムのトーン間隔の整数（ｍ）倍であるトーン間隔を有する広帯域ＯＦＤＭＡシステムを含み得る。さらに、展開は、２つのシステムの周波数キャリア間の距離が狭帯域ＯＦＤＭＡ  ＣＩｏＴシステムトーン間隔の整数（Ｋ）倍であることを規定し得る。そのような展開シナリオでは、ｍ個の狭帯域トーンごとに１つのトーンが、隣接する広帯域ＯＦＤＭＡシステム中のトーンに干渉しない。
【００２６】
[0042]たとえば、多くのＬＴＥ展開は、１５ｋＨｚトーン間隔を採用し、（２．５ＫＨｚトーン間隔をもつ）６つのＣＩｏＴトーンごとに１つのトーンが、ＬＴＥトーンのいずれかとのごくわずかな干渉しか有しないか、または、いかなる干渉をも有しない。低減された干渉を有するこれらのトーンは、トーンの第１のグループにグループ化され得、これらのトーンは、比較的高い電力を用いた送信（たとえば、最悪の経路損失に対応するユーザ機器（ＵＥ）デバイス）のために使用され得る。残りのトーンは、代わりに比較的より低い送信電力を必要とする、より小さい経路損失をもつＵＥに動的に割り振られ得る。トーンの第１のグループを使用するデバイスは、いくつかの例では、ある程度の干渉平均化効果を達成するために（後続のタイムスロットにわたって異なるトーンを使用する）周波数ホッピングを採用し得る。残りのトーンを使用するデバイスは、いくつかの例では、向上した干渉緩和を与えるためにＦＦＲ技法を使用し得る。様々な例では、ＬＴＥトーンおよびＣＩｏＴトーンは、それぞれ、ＯＦＤＭＡトーンであり得る。
【００２７】
[0043]以下の説明は、例を与えるものであり、特許請求の範囲に記載される範囲、適用可能性、または例を限定するものではない。本開示の範囲から逸脱することなく、説明される要素の機能および構成において変更が行われ得る。様々な例は、適宜に様々なプロシージャまたは構成要素を省略、置換、または追加し得る。たとえば、説明される方法は、説明される順序とは異なる順序で実行され得、様々なステップが追加、省略、または組み合わせられ得る。また、いくつかの例に関して説明される特徴は、他の例において組み合わせられ得る。
【００２８】
[0044]図１は、本開示の様々な態様による、ワイヤレス通信システム１００の一例を示す。ワイヤレス通信システム１００は、基地局１０５と、少なくとも１つのＵＥ１１５と、コアネットワーク１３０とを含む。コアネットワーク１３０は、ユーザ認証と、アクセス許可と、トラッキングと、インターネットプロトコル（ＩＰ）接続性と、他のアクセス、ルーティング、またはモビリティ機能とを与え得る。基地局１０５は、バックホールリンク１３２（たとえば、Ｓ１など）を通してコアネットワーク１３０とインターフェースする。基地局１０５は、ＵＥ１１５との通信のための無線構成およびスケジューリングを実行し得るか、または基地局コントローラ（図示せず）の制御下で動作し得る。様々な例では、基地局１０５は、ワイヤードまたはワイヤレス通信リンクであり得るバックホールリンク１３４（たとえば、Ｘ１など）上で、直接的または間接的のいずれかで（たとえば、コアネットワーク１３０を通して）、互いに通信し得る。
【００２９】
[0045]基地局１０５は、１つまたは複数の基地局アンテナを介してＵＥ１１５とワイヤレス通信し得る。基地局１０５の各々は、それぞれの地理的カバレージエリア１１０に通信カバレージを与え得る。いくつかの例では、基地局１０５は、基地トランシーバ局、無線基地局、アクセスポイント、無線トランシーバ、ノードＢ、ｅノードＢ（ｅＮＢ）、ホームノードＢ、ホームｅノードＢ、または何らかの他の好適な用語で呼ばれることがある。基地局１０５のための地理的カバレージエリア１１０は、カバレージエリアの一部分のみを構成するセクタに分割され得る（図示せず）。ワイヤレス通信システム１００は、異なるタイプの基地局１０５（たとえば、マクロセル基地局および／またはスモールセル基地局）を含み得る。異なる技術のための重複する地理的カバレージエリア１１０があり得る。
【００３０】
[0046]いくつかの例では、ワイヤレス通信システム１００はロングタームエボリューション（ＬＴＥ）／ＬＴＥアドバンスト（ＬＴＥ−Ａ）ネットワークである。ＬＴＥ／ＬＴＥ−Ａネットワークでは、発展型ノードＢ（ｅＮＢ）という用語は、概して、基地局１０５を表すために使用され得、ＵＥという用語は、概して、ＵＥ１１５を表すために使用され得る。ワイヤレス通信システム１００は、異なるタイプのｅＮＢが様々な地理的領域にカバレージを与える、異種ＬＴＥ／ＬＴＥ−Ａネットワークであり得る。たとえば、各ｅＮＢまたは基地局１０５は、マクロセル、スモールセル、および／または他のタイプのセルに通信カバレージを与え得る。「セル」という用語は、コンテキストに応じて、基地局、基地局に関連するキャリアまたはコンポーネントキャリア、あるいはキャリアまたは基地局のカバレージエリア（たとえば、セクタなど）を表すために使用され得る３ＧＰＰ（登録商標）用語である。
【００３１】
[0047]マクロセルは、概して、比較的大きい地理的エリア（たとえば、半径数キロメートル）をカバーし、ネットワークプロバイダのサービスに加入しているＵＥ１１５による無制限アクセスを可能にし得る。スモールセルは、マクロセルと比較して、マクロセルと同じまたは異なる（たとえば、認可、無認可などの）周波数帯域内で動作し得る、低電力基地局である。スモールセルは、様々な例によれば、ピコセル、フェムトセル、およびマイクロセルを含み得る。ピコセルは、たとえば、小さい地理的エリアをカバーし得、ネットワークプロバイダのサービスに加入しているＵＥ１１５による無制限アクセスを可能にし得る。フェムトセルは、小さい地理的エリア（たとえば、自宅）を同じくカバーし得、フェムトセルとの関連を有するＵＥ１１５（たとえば、限定加入者グループ（ＣＳＧ：closed subscriber group）中のＵＥ１１５、自宅内のユーザのためのＵＥ１１５など）による制限付きアクセスを与え得る。マクロセルのためのｅＮＢはマクロｅＮＢと呼ばれることがある。スモールセルのためのｅＮＢは、スモールセルｅＮＢ、ピコｅＮＢ、フェムトｅＮＢ、またはホームｅＮＢと呼ばれることがある。ｅＮＢは、１つまたは複数の（たとえば、２つ、３つ、４つなどの）セル（たとえば、コンポーネントキャリア）をサポートし得る。
【００３２】
[0048]ワイヤレス通信システム１００は同期動作または非同期動作をサポートし得る。同期動作の場合、基地局１０５は同様のフレームタイミングを有し得、異なる基地局１０５からの送信は近似的に時間的に整合され得る。非同期動作の場合、基地局１０５は異なるフレームタイミングを有し得、異なる基地局１０５からの送信は時間的に整合されないことがある。本明細書で説明される技法は、同期動作または非同期動作のいずれかのために使用され得る。
【００３３】
[0049]様々な開示される例のうちのいくつかに適応し得る通信ネットワークは、階層化プロトコルスタックに従って動作するパケットベースネットワークであり得る。ユーザプレーンでは、ベアラまたはパケットデータコンバージェンスプロトコル（ＰＤＣＰ：packet data convergence protocol）レイヤにおける通信はＩＰベースであり得る。無線リンク制御（ＲＬＣ）レイヤが、論理チャネルを介して通信するためにパケットセグメンテーションおよびリアセンブリを実行し得る。媒体アクセス制御（ＭＡＣ）レイヤが、優先度処理と、トランスポートチャネルへの論理チャネルの多重化とを実行し得る。ＭＡＣレイヤはまた、リンク効率を改善するためにＭＡＣレイヤにおいて再送信を行うためにハイブリッド自動再送要求（ＨＡＲＱ）を使用し得る。制御プレーンでは、無線リソース制御（ＲＲＣ）プロトコルレイヤは、ＵＥ１１５と基地局１０５との間のＲＲＣ接続の確立と構成と維持とを行い得る。ＲＲＣプロトコルレイヤはまた、ユーザプレーンデータのための無線ベアラのコアネットワーク１３０サポートのために使用され得る。物理（ＰＨＹ）レイヤにおいて、トランスポートチャネルは物理チャネルにマッピングされ得る。
【００３４】
[0050]ＵＥ１１５は、ワイヤレス通信システム１００全体にわたって分散され得、各ＵＥ１１５は固定式または移動可能であり得る。ＵＥ１１５は、移動局、加入者局、モバイルユニット、加入者ユニット、ワイヤレスユニット、リモートユニット、モバイルデバイス、ワイヤレスデバイス、ワイヤレス通信デバイス、リモートデバイス、モバイル加入者局、アクセス端末、モバイル端末、ワイヤレス端末、リモート端末、ハンドセット、ユーザエージェント、モバイルクライアント、クライアント、または何らかの他の好適な用語をも含むか、あるいはそのように当業者によって呼ばれることもある。ＵＥ１１５は、セルラーフォン、携帯情報端末（ＰＤＡ）、ワイヤレスモデム、ワイヤレス通信デバイス、ハンドヘルドデバイス、タブレットコンピュータ、ラップトップコンピュータ、コードレスフォン、ワイヤレスローカルループ（ＷＬＬ）局などであり得る。ＵＥは、マクロｅＮＢ、スモールセルｅＮＢ、リレー基地局などを含む、様々なタイプの基地局およびネットワーク機器と通信することが可能であり得る。
【００３５】
[0051]ワイヤレス通信システム１００では、いくつかのＵＥ１１５は、自動通信を提供し得る。自動ワイヤレスデバイスは、マシンツーマシン（Ｍ２Ｍ）通信またはマシンタイプ通信（ＭＴＣ）を実装するものを含み得る。Ｍ２Ｍ通信および／またはＭＴＣは、デバイスが人の介入なしに互いにまたは基地局と通信することを可能にするデータ通信技術を指すことがある。たとえば、Ｍ２Ｍ通信および／またはＭＴＣは、センサーまたはメーターを組み込んで情報を測定またはキャプチャし、情報を活用することができる、あるいはプログラムまたはアプリケーションと対話する人間に情報を提示することができるアプリケーションプログラムまたは中央サーバにその情報を中継するデバイスからの通信を指すことがある。いくつかのＵＥ１１５は、情報を収集する、または機械の自動化された挙動を可能にするように設計されたものなど、ＭＴＣデバイスであり得る。ＭＴＣデバイスのための適用例の例としては、スマートメータリング、インベントリ監視、水位監視、機器監視、ヘルスケア監視、野生生物監視、天候および地質学的事象監視、フリート管理およびトラッキング、リモートセキュリティ検知、物理的アクセス制御、ならびにトランザクションベースのビジネスの課金がある。ＭＴＣデバイスは、低減されたピークレートにおいて半二重（一方向）通信を使用して動作し得る。ＭＴＣデバイスはまた、アクティブ通信に関与していないとき、電力節約「ディープスリープ」モードに入るように構成され得る。Ｍ２ＭまたはＭＴＣデバイスである、ワイヤレス通信システム１００におけるＵＥ１１５はまた、ＩｏＴの一部であり得る。したがって、ワイヤレス通信システム１００はまた、ＩｏＴシステムを含むか、またはその一部であり得る。
【００３６】
[0052]ワイヤレス通信システム１００に示されている通信リンク１２５は、ＵＥ１１５から基地局１０５へのアップリンク送信、および／または基地局１０５からＵＥ１１５へのダウンリンク送信を含み得る。ダウンリンク送信は順方向リンク送信と呼ばれることもあり、アップリンク送信は逆方向リンク送信と呼ばれることもある。各通信リンク１２５は１つまたは複数のキャリアを含み得、ここで、各キャリアは、上記で説明された様々な無線技術に従って変調された複数のサブキャリア（たとえば、異なる周波数の波形信号）からなる信号であり得る。各被変調信号は、異なるサブキャリア上で送られ得、制御情報（たとえば、基準信号、制御チャネルなど）、オーバーヘッド情報、ユーザデータなどを搬送し得る。通信リンク１２５は、周波数分割複信（ＦＤＤ）動作を使用して（たとえば、対スペクトルリソースを使用して）または時分割複信（ＴＤＤ）動作を使用して（たとえば、不対スペクトルリソースを使用して）双方向通信を送信し得る。ＦＤＤ（たとえば、フレーム構造タイプ１）およびＴＤＤ（たとえば、フレーム構造タイプ２）のためのフレーム構造が定義され得る。
【００３７】
[0053]ワイヤレス通信システム１００のいくつかの実施形態では、基地局１０５および／またはＵＥ１１５は、基地局１０５とＵＥ１１５との間の通信品質と信頼性とを改善するために、アンテナダイバーシティ方式を採用するために複数のアンテナを含み得る。追加または代替として、基地局１０５および／またはＵＥ１１５は、同じまたは異なるコード化データを搬送する複数の空間レイヤを送信するために、マルチパス環境を利用し得る多入力多出力（ＭＩＭＯ）技法を採用し得る。
【００３８】
[0054]ワイヤレス通信システム１００は、複数のセルまたはキャリア上での動作、すなわち、キャリアアグリゲーション（ＣＡ）またはマルチキャリア動作と呼ばれることがある特徴をサポートし得る。キャリアは、コンポーネントキャリア（ＣＣ）、レイヤ、チャネルなどと呼ばれることもある。「キャリア」、「コンポーネントキャリア」、「セル」、および「チャネル」という用語は、本明細書では互換的に使用され得る。ＵＥ１１５は、キャリアアグリゲーションのために、複数のダウンリンクＣＣと１つまたは複数のアップリンクＣＣとで構成され得る。キャリアアグリゲーションは、ＦＤＤコンポーネントキャリアとＴＤＤコンポーネントキャリアの両方とともに使用され得る。
【００３９】
[0055]ワイヤレスネットワークにアクセスすることを試みるＵＥ１１５は、基地局１０５からの１次同期信号（ＰＳＳ）を検出することによって、初期セル探索を実行し得る。ＰＳＳは、スロットタイミングの同期を可能にし得、物理レイヤ識別情報値を示し得る。次いで、ＵＥ１１５は、２次同期信号（ＳＳＳ）を受信し得る。ＳＳＳは、無線フレーム同期を可能にし得、セルを識別するための物理レイヤ識別情報値と組み合わせられ得る、セル識別情報値を与え得る。ＳＳＳはまた、複信モードおよびサイクリックプレフィックス長の検出を可能にし得る。ＰＳＳとＳＳＳの両方が、キャリアの中心の６つのリソースブロック（ＲＢ）（７２個のサブキャリア）中にあり得る。ＰＳＳとＳＳＳとを受信した後に、ＵＥ１１５は、物理ブロードキャストチャネル（ＰＢＣＨ）中で送信され得る、マスタ情報ブロック（ＭＩＢ）を受信し得る。ＭＩＢは、システム帯域幅情報ならびにトーン間隔を含んでいることがある。ＭＩＢを復号した後に、ＵＥ１１５は、１つまたは複数のシステム情報ブロック（ＳＩＢ）を受信し得る。たとえば、ＳＩＢ１は、セルアクセスパラメータと他のＳＩＢのためのスケジューリング情報とを含んでいることがある。ＳＩＢ１を復号することは、ＵＥ１１５がＳＩＢ２を受信することを可能にし得る。ＳＩＢ２は、ランダムアクセスチャネル（ＲＡＣＨ）プロシージャと、ページングと、物理アップリンク制御チャネル（ＰＵＣＣＨ）と、物理アップリンク共有チャネル（ＰＵＳＣＨ）と、電力制御と、サウンディング基準信号（ＳＲＳ）と、セル禁止とに関係するＲＲＣ構成情報を含んでいることがある。
【００４０】
[0056]ＰＢＣＨはまた、ＵＥ１１５がＲＡＣＨプロシージャを実行することを可能にし得るチャネル構成を示し得る。チャネル構成は、共有トラフィックチャネル（たとえば、物理ダウンリンク共有チャネル（ＰＤＳＣＨ）またはＰＵＳＣＨ）の時間および周波数リソース構成を含み得る。いくつかの場合には、ＵＥ１１５は、制御チャネル送信のインデックスに基づいて、データ送信のためのリソースを識別し得る。いくつかの場合には、制御チャネル送信とデータチャネル送信との間の所定の遅延があり得る。いくつかの展開では、狭帯域ＣＩｏＴシステムは、広帯域ＯＦＤＭＡシステムと重複するカバレージエリアを有し得る。狭帯域ＣＩｏＴシステムのトーン間隔は、広帯域ＯＦＤＭＡシステムのトーン間隔がＣＩｏＴシステムのトーン間隔の整数倍であるように選択され得る。そのような構成は、トーンの他方と比較して広帯域ＯＦＤＭＡシステムのトーンとの低減された干渉を有するトーンのグループを与え得る。
【００４１】
[0057]図２は、本開示の様々な態様による、ＣＩｏＴシステムのための周波数リソースの割振りのためのワイヤレス通信サブシステム２００の一例を示す。ワイヤレス通信サブシステム２００は、図１を参照しながら上記で説明されたＵＥ１１５の例であり得る、ＵＥ１１５−ａおよびＵＥ１１５−ｂを含み得る。ワイヤレス通信サブシステム２００は、図１を参照しながら上記で説明された基地局１０５の例であり得る、基地局１０５−ａおよび１０５−ｂをも含み得る。基地局１０５−ａおよび１０５−ｂは、それぞれ、カバレージエリア１１０−ａおよび１１０−ｂを有し得、それらのカバレージエリアは重複し得、図１を参照しながら説明されたカバレージエリア１１０の例であり得る。基地局１０５−ａおよび１０５−ｂは、隣接し、それぞれ、少なくとも部分的に重複する狭帯域ＣＩｏＴシステムおよび広帯域ＯＦＤＭＡシステムであり得る。
【００４２】
[0058]ＵＥ１１５−ａは、図１において上記で説明されたように、アップリンクおよびダウンリンクを介して基地局１０５−ａと通信し得る。たとえば、ダウンリンク送信２０５−ａは、等間隔に離間したＮ個のトーン（たとえば、２．５ｋＨｚだけ離間したＮ＝７２個のトーン）の第１のセットに分割される２００ｋＨｚ帯域幅を有する狭帯域通信を使用して、基地局１０５−ａによってＵＥ１１５−ａに送信されるＯＦＤＭＡ送信であり得る。アップリンク送信２０５−ｂは、ダウンリンク送信２０５−ａと同じ帯域幅を利用するシングルキャリア周波数分割多元接続（ＳＣ−ＦＤＭＡ）であり得る。ＵＥ１１５−ｂは、同じく図１において上記で説明されたように、双方向アップリンクおよびダウンリンク送信２１０を使用して基地局１０５−ａと通信し得る。たとえば、アップリンクおよびダウンリンク送信２１０は、等間隔に離間したトーン（たとえば、１５ｋＨｚのトーン間隔）の第２のセットに分割される１．４〜２０ＭＨｚ帯域幅を有する広帯域通信を使用して送信され得る。ＵＥ１１５−ａと基地局１０５−ａ、およびＵＥ１１５−ｂと基地局１０５−ｂとの間の通信は、時間同期され得るが、２つのシステムが時間的に完全に同期されない場合でも、本明細書で説明される様々な技法は、いくつかの高電力狭帯域トーンから広帯域ＯＦＤＭＡシステムへの干渉を低減することにおける利益を与えることができる。
【００４３】
[0059]いくつかの例では、基地局１０５−ａと基地局１０５−ｂの両方は、利用可能なダウンリンク／アップリンク帯域幅が等間隔に離間したＮ個のトーンに分割される、ＯＦＤＭＡベースの設計を使用する。ＣＩｏＴシステム中で動作する基地局１０５−ａは、上記で説明されたように、２．５ｋＨｚのトーン間隔を有するＮ＝７２個のトーンを使用する、２００ｋＨｚの狭帯域帯域幅を利用し得る。基地局１０５−ａは、いくつかの例では、特定のデバイスの必要に基づいて、ＵＥ１１５−ａなどの異なるＵＥに異なるトーンを割り振り得る。基地局１０５−ｂのトーン間隔は、例では、基地局１０５−ａの狭帯域トーン間隔の整数（ｍ）倍（たとえば、１５ｋＨｚ）であり得る。基地局１０５−ａの周波数キャリアと基地局１０５−ｂの周波数キャリアとの間の距離は、ＮＢ−ＯＦＤＭＡトーン間隔の整数（Ｋ）倍であり得る。そのような方法で、ｍ個の狭帯域トーンごとに１つのトーンが、広帯域トーンとの比較的低い干渉を与える。比較的低い干渉をもつこれらのトーンは、トーンの第１のグループに入れられ得、基地局１０５−ｂとＵＥ１１５−ｂとの間の広帯域トーンとの干渉の欠如により、残りのトーンよりも高い送信電力をサポートし得る。ＵＥ１１５−ａが、比較的高い経路損失を生じる悪いチャネル状態を有する場合、トーンの第１のグループのトーンは、ＵＥ１１５−ａとのより信頼できる通信を与えるために使用され得る。トーンの第２のグループを表す残りのトーンは、代わりにより低い送信電力を使用し得る、より小さい経路損失をもつ他のデバイスに動的に割り振られ得る。いくつかの例では、トーンの第１のグループを使用する送信は、ある程度の干渉平均化効果を得、送信の信頼性をさらに向上させるために、（後続のタイムスロットにわたって異なるトーンを使用する）周波数ホッピングを採用し得る。
【００４４】
[0060]次に図３Ａを参照しながら、本開示の様々な態様による、隣接する広帯域ＯＦＤＭＡシステムおよび狭帯域ＯＦＤＭＡシステムのためのトーン間隔の周波数領域例３００が説明される。周波数領域トーン間隔３００は、図１または図２を参照しながら上記で説明されたように、基地局１０５と通信するためにＵＥ１１５によって使用され得る。この例では、広帯域トーン３１０はトーン間隔Ｄ1を有し得、トーン間隔Ｄ1は、ｍ番目の狭帯域トーン３１５と狭帯域トーン３２０との間の狭帯域トーン間隔Ｄ2のｍ倍に等しくなり得る。さらに、広帯域ＯＦＤＭＡシステムの中心周波数キャリアと狭帯域ＯＦＤＭＡシステムの中心周波数キャリアとの間の距離Ｄ3は、狭帯域トーン間隔Ｄ2の整数（ｋ）倍である（すなわち、Ｄ3＝ｋＤ2）。そのような方法で、あらゆるｍ番目の狭帯域トーン３１５は、隣接する広帯域トーン３１０に対してわずかな干渉しか引き起こさないか、または、いかなる干渉をも引き起こさず、広帯域トーン３１０との比較的少ない干渉を有するｍ番目の狭帯域トーン３１５の第１のグループを与えるために一緒にグループ化され得る。残りの狭帯域トーン３２０は、同様に、広帯域トーン３１０との比較的より高い干渉を有する狭帯域トーン３２０の第２のグループを与えるために一緒にグループ化され得る。ｍ番目の狭帯域トーン３１５の第１のグループが比較的少ない干渉を有するので、トーンの第１のグループを使用する送信電力は比較的高くなり得る。同様に、トーンの第２のグループが広帯域トーン３１０との比較的より高い干渉を有するので、そのような干渉を緩和するために、時間の第２のグループを使用する送信電力は比較的低くなり得る。
【００４５】
[0061]ｍ番目の狭帯域トーン３１５の第１のグループのより高い電力の送信は、比較的高い経路損失を有するデバイスとの通信のために、または比較的低いレイテンシ要件を有し得る通信（たとえば、ベストエフォート通信とは対照的な高優先度通信）のために使用され得る。狭帯域トーン３２０の第２のグループのより低い電力の送信は、より低い経路損失を有するデバイスとの通信および／またはあまり厳しくないレイテンシ要件を有する通信のために使用され得る。様々な例によれば、各々が１つのデバイスに対応する、潜在的に異なる電力をもつ複数の様々なコーディングブロックが、狭帯域トーン３２０の第２のグループを介して送信され得る。
【００４６】
[0062]ｍ番目の狭帯域トーン３１５の第１のグループまたは狭帯域トーン３２０の第２のグループを使用する送信は、ダウンリンク送信またはアップリンク送信のいずれかであり得る。いくつかの例では、干渉は、周波数ホッピング技法の使用によってさらに緩和され得、その技法では、各デバイスに／によって送信された各コーディングブロックに割り振られたｍ番目の狭帯域トーン３１５のサブセットが、それの送信の持続時間にわたって変化し得る。そのような例におけるｍ番目の狭帯域トーン３１５は、第１のグループ中のトーンであり、そのような技法は、各コーディングブロックの送信における周波数ダイバーシティを与え得る。
【００４７】
[0063]図３Ｂは、本開示の様々な態様による、ＣＩｏＴシステムおよび隣接するワイヤレス通信システム中で送信されるシンボルのロケーションの時間領域例３５０を示す。狭帯域ＣＩｏＴシステムのためのシンボル３５５、および広帯域ＯＦＤＭＡシステムのシンボル３６０は、図１または図２を参照しながら上記で説明されたように、基地局１０５と通信するためにＵＥ１１５によって使用され得る。様々な例によれば、広帯域ＯＦＤＭＡシステムのシンボル３６０のシンボル持続時間は、狭帯域ＣＩｏＴシステムのシンボル３５５のシンボル持続時間よりも短くｍ分の１になり得る。
【００４８】
[0064]図４は、本開示の様々な態様による、狭帯域ＣＩｏＴシステムのトーンの異なるグループのための送信電力の例４００を示す。狭帯域ＣＩｏＴシステムのためのトーンのグループは、図１または図２を参照しながら上記で説明されたように、基地局１０５と通信するためにＵＥ１１５によって使用され得る。図４の例では、トーンの第１のグループ４０５は、上記で説明されたように、トーンのセット４１０中のあらゆるｍ番目のトーンを含むものとして識別され得る。トーンの第２のグループ４１５は、トーンのセット４１０の残りのトーンとして識別され得る。いくつかの例では、フラクショナル周波数再利用（ＦＦＲ）技法は、トーンの第２のグループ４１５の２つまたはそれ以上のサブセットを識別するためにトーンの第２のグループ４１５内で採用され得る。図４の例では、ＦＦＲ技法を使用し得るトーンの２つのサブセット４２０および４２５が識別される。そのようなＦＦＲ技法は、セル中で、デバイスが、それらの経路損失と必要とされるダウンリンク／アップリンク送信電力とに基づいてカテゴリー分類され、次いで、異なるサブグループに割り振られ得ることを規定する。この例では、グループ２．１  ４２０は、トーンの第１のグループ４０５のための送信電力よりも小さい送信電力を使用して送信される２０個のトーンを含み得る。さらに、グループ２．２  ４２５は、グループ２．１  ４２０のための送信電力よりも小さい送信電力を使用して送信される４０個のトーンを含み得る。
【００４９】
[0065]図５は、本開示の様々な態様による、狭帯域ＣＩｏＴシステムのネイバリングセルにわたるサブグループ割振りの例５００を示す。いくつかの例では、サブグループ割振りは、干渉平均化から恩恵を受けるためにネイバリングセルにわたって異なり得る。狭帯域ＣＩｏＴシステムのためのトーンのグループは、図１または図２を参照しながら上記で説明されたように、ネイバリングセルの基地局１０５と通信するためにＵＥ１１５によって使用され得る。図５の例では、３つのネイバリングセルがＣＩｏＴトーンを送信し、第１のセルがトーン５０５を送信し、第２のセルがトーン５１０を送信し、第３のセルがトーン５１５を送信し得る。各セルは、上記で説明されたような様式でトーンをグループ化し得、その様式では、グループ１は広帯域トーンとの低減された干渉を有するトーンを含み得る。グループ２．１は、上記で説明されたように識別され得、このサブグループに割り振られるトーンは、このサブグループのためのトーンの選択がネイバリングセルの間で直交になるように選択され得る。グループ２．２はまた、上記で説明されたように識別され得、各セルのための残りのトーンはこのサブグループに割り振られ得る。上記で説明されたように、トーンの異なるグループは異なる送信電力を有し得る。一例では、グループ１は、２８ｄＢｍ／トーン超の極めて高い送信電力を使用する送信を与える１２個のトーンを含み得、グループ２．１は、約２５ｄＢｍ／トーンの高い送信電力を使用する送信を与える２０個のトーンを含み得、グループ２．２は、２０ｄＢｍ／トーン未満の比較的低い電力を使用する送信を与える４０個のトーンを含み得る。もちろん、これらの例は、当業者によって容易に認識されるように、多数の例のうちの１つにすぎない。
【００５０】
[0066]図６は、本開示の様々な態様による、ＣＩｏＴシステムのための周波数リソースの割振りのためのプロセスフロー図６００の一例を示す。リソース割振りのためのプロセスフロー図６００は、図１および図２を参照しながら上記で説明されたＵＥ１１５の一例であり得る、ＵＥ１１５−ｃを含み得る。リソース割振りのためのプロセスフロー図６００は、図１および図２を参照しながら上記で説明された基地局１０５の一例であり得る、基地局１０５−ｃをも含み得る。
【００５１】
[0067]ステップ６０５において、ＵＥ１１５−ｃは、チャネル品質情報を基地局１０５−ｃに送信し得、チャネル品質情報は、ステップ６１０においてＵＥ１１５−ｃについての経路損失を決定するために使用され得る。ステップ６１５において、基地局１０５−ｃは、ＣＩｏＴ送信において使用するための狭帯域トーンを識別し得る。ステップ６２０において、基地局１０５−ｃは、上記で説明されたのと同様にして、トーンの第１および第２のグループを識別し得る。基地局１０５−ｃは、ＵＥ１１５−ｃのためのトーンの識別されたグループを使用してダウンリンク送信６２５を送信し得る。基地局１０５−ｃはまた、リソース割振り６３０をＵＥ１１５−ｃに送信し得る。リソース割振り６３０は、ＵＥ１１５−ｃが送信のために使用すべきであるトーンの識別情報を与え得る。たとえば、基地局１０５−ｃは、ＵＥ１１５−ｃが、より高い電力の送信を必要とする比較的高い経路損失を有すると決定し得、トーンの第１のグループからのトーンがＵＥ１１５−ｃのアップリンク送信のために使用されるべきであることを識別し得る。同様に、ＵＥ１１５−ｃが比較的低い経路損失を有する（または通信が厳しいレイテンシ要件を有しない）と基地局１０５−ｃが決定した場合、基地局は、ＵＥ１１５−ｃのアップリンク送信のためのトーンをトーンの第２のグループから識別し得る。ステップ６３５において、ＵＥ１１５−ｃは、アップリンク送信のためのトーンの狭帯域グループを識別し得、トーンの識別されたグループを使用してアップリンク送信６４０を送信し得る。
【００５２】
[0068]図７は、本開示の様々な態様による、ＣＩｏＴシステムのための周波数リソースの割振りのために構成されたデバイス７０１のブロック図７００を示す。デバイス７０１は、図１〜図６を参照しながら説明されたＵＥ１１５または基地局１０５の態様の一例であり得る。デバイス７０１は、受信機７０５、通信管理モジュール７１０、および／または送信機７１５を含み得る。デバイス７０１はプロセッサをも含み得る。これらの構成要素の各々は互いに通信していることがある。
【００５３】
[0069]受信機７０５は、パケット、ユーザデータ、および／または様々な情報チャネルに関連する制御情報（たとえば、制御チャネル、データチャネル、およびＣＩｏＴシステムのための周波数リソースの割振りに関係する情報など）などの情報を受信し得る。情報は、通信管理モジュール７１０に、およびデバイス７０１の他の構成要素に受け渡され得る。いくつかの例では、受信機７０５は、ＵＥ１１５と基地局１０５との間の通信のための識別されたトーンのグループの通信を受信し得る。
【００５４】
[0070]通信管理モジュール７１０は、上記で説明された技法を使用して、トーンの１つまたは複数のグループ上での通信を受信し得、狭帯域ＣＩｏＴシステムのトーンの１つまたは複数のグループ上での通信を管理し得る。送信機７１５は、デバイス７０１の他の構成要素から受信された信号を送信し得る。いくつかの例では、送信機７１５は、トランシーバモジュールにおいて受信機７０５とコロケートされ得る。送信機７１５は単一のアンテナを含み得るか、またはそれは複数のアンテナを含み得る。いくつかの例では、送信機７１５は、生成されたアップリンクキャリア周波数を用いてアップリンク信号を送信し得る。いくつかの例では、送信機７１５は、共有データトラフィックチャネルの時間周波数リソース上でデータチャネル送信を送信し得る。いくつかの例では、送信機７１５は、スリープ間隔中に低電力モードにされ、次いで、スリープ起動タイマーの満了時にデータチャネル送信を送信するためにパワーアップされ得る。
【００５５】
[0071]図８は、本開示の様々な態様による、ＣＩｏＴシステムのための周波数リソースの割振りのためのデバイス８０１のブロック図８００を示す。デバイス８０１は、図１〜図６を参照しながら説明されたＵＥ１１５または基地局の態様、あるいは図７のデバイス７０１の態様の一例であり得る。デバイス８０１は、受信機７０５−ａ、通信管理モジュール７１０−ａ、または送信機７１５−ａを含み得る。デバイス８０１はプロセッサをも含み得る。これらの構成要素の各々は互いに通信していることがある。通信管理モジュール７１０−ａはまた、トーン識別モジュール８０５と、グループ識別モジュール８１０と、チャネル状態決定モジュール８１５とを含み得る。
【００５６】
[0072]受信機７０５−ａは、通信管理モジュール７１０−ａに、およびデバイス８０１の他の構成要素に受け渡され得る情報を受信し得る。通信管理モジュール７１０−ａは、図７を参照しながら上記で説明された動作を実行し得る。送信機７１５−ａは、デバイス８０１の他の構成要素から受信された信号を送信し得る。
【００５７】
[0073]トーン識別モジュール８０５は、図２〜図６を参照しながら上記で説明されたように、狭帯域ＣＩｏＴ中の通信において使用するための狭帯域トーンを識別し得る。グループ識別モジュール８１０は、図２〜図６を参照しながら上記で説明されたように、狭帯域ＣＩｏＴ中の送信のためのトーンの異なる利用可能なグループを決定し得、トーンの異なるグループは、関連する利用可能な送信電力を有する。グループ識別モジュール８１０はまた、ＦＦＲ技法のために使用され得るトーンのグループの１つまたは複数のサブセットを決定し得る。チャネル状態決定モジュール８１５は、図２〜図６を参照しながら上記で説明されたように、特定のＵＥに関連するチャネル状態を決定し得、ＵＥのチャネル状態に少なくとも部分的に基づいて、ＵＥに関連する経路損失を決定し得る。
【００５８】
[0074]図９は、本開示の様々な態様による、ＣＩｏＴシステムのための周波数リソースの割振りのための通信管理モジュール７１０−ｂのブロック図９００を示す。通信管理モジュール７１０−ｂは、図７〜図８を参照しながら説明された通信管理モジュール７１０の態様の一例であり得る。通信管理モジュール７１０−ｂは、トーン識別モジュール８０５−ａと、グループ識別モジュール８１０−ａと、チャネル状態決定モジュール８１５−ａとを含み得る。これらのモジュールの各々は、図８を参照しながら上記で説明された機能を実行し得る。通信管理モジュール７１０−ｂはまた、広帯域トーン決定モジュール９０５、干渉消去モジュール９１０、周波数ホッピングモジュール９１５、リソース割振りモジュール９２０、送信電力モジュール９２５、レイテンシ決定モジュール９３０、またはＦＦＲモジュール９３５を含み得る。
【００５９】
[0075]広帯域トーン決定モジュール９０５は、図２〜図６を参照しながら上記で説明されたように、１つまたは複数のネイバリング広帯域ワイヤレス通信システムのトーン特性を識別し得る。干渉消去モジュール９１０は、図２〜図６を参照しながら上記で説明されたように、狭帯域ＣＩｏＴシステムを介した送信に対して干渉抑圧または干渉消去技法を実行し得る。周波数ホッピングモジュール９１５は、図２〜図６を参照しながら上記で説明されたように、送信のための周波数ダイバーシティまたは干渉平均化のうちの１つまたは複数を与えるために、トーンのグループ上での送信のための周波数ホッピング技法を実行し得る。リソース割振りモジュール９２０は、図２〜図６を参照しながら上記で説明されたように、狭帯域ＣＩｏＴ送信のために使用されるべきであるリソースを決定し得る。リソース割振りモジュール９２０はまた、通信管理モジュール７１０−ｂが基地局の一部として含まれる例において送信のためにＵＥ１１５によって使用されるべきリソースを決定し得る。送信電力モジュール９２５は、図２〜図６を参照しながら上記で説明されたように、狭帯域ＣＩｏＴシステムの識別されたトーン上での送信のための送信電力を決定し得る。
【００６０】
[0076]レイテンシ決定モジュール９３０は、図２〜図６を参照しながら上記で説明されたように、データを送信するために使用されるべきであるトーンのグループを識別するのを助けるために使用され得る、ＵＥにまたはＵＥから送信されるべきであるデータに関連するレイテンシを決定し得る。ＦＦＲモジュール９３５は、図２〜図６を参照しながら上記で説明されたように、トーンのグループ内で干渉平均化および周波数ダイバーシティのためのＦＦＲ技法を実行し得る。
【００６１】
[0077]図１０は、本開示の様々な態様による、ＣＩｏＴシステムのための周波数リソースの割振りのために構成されたＵＥ１１５−ｄを含むシステム１０００の図を示す。システム１０００は、図１〜図９を参照しながら上記で説明されたＵＥ１１５あるいはデバイス７０１または８０１の一例であり得る、ＵＥ１１５−ｄを含み得る。ＵＥ１１５−ｄは、図７〜図９を参照しながら説明された通信管理モジュール７１０の一例であり得る、通信管理モジュール１０１０を含み得る。ＵＥ１１５−ｄは狭帯域ＣＩｏＴモジュール１０２５をも含み得る。ＵＥ１１５−ｄは、通信を送信するための構成要素と通信を受信するための構成要素とを含む、双方向音声またはデータ通信のための構成要素をも含み得る。たとえば、ＵＥ１１５−ｄは基地局１０５−ｆと双方向に通信し得る。
【００６２】
[0078]狭帯域ＣＩｏＴモジュール１０２５は、図２〜図６を参照しながら上記で説明されたように、ＭＴＣプロシージャまたは狭帯域ＩｏＴプロシージャに基づいてネットワークとデータを交換し得る。たとえば、狭帯域ＣＩｏＴモジュール１０２５は、異なる電力レベル上での送信をサポートする狭帯域トーンのセットからのトーンのグループを使用することによって、ＵＥ１１５−ｄと基地局１０５−ｆとの間の改善された通信を可能にし得る。ＭＴＣプロシージャの他の例では、ＵＥ１１５−ｄは、ダウンリンクメッセージを復調するためにＯＦＤＭＡを利用し得、アップリンク変調のためにＳＣ−ＦＤＭＡを利用し得る。
【００６３】
[0079]ＵＥ１１５−ｄはまた、プロセッサモジュール１００５と、（ソフトウェア（ＳＷ）を含む）１０２０メモリ１０１５と、トランシーバモジュール１０３５と、１つまたは複数のアンテナ１０４０とを含み得、その各々は、（たとえば、バス１０４５を介して）互いに直接または間接的に通信し得る。トランシーバモジュール１０３５は、上記で説明されたように、（１つまたは複数の）アンテナ１０４０および／あるいはワイヤードリンクまたはワイヤレスリンクを介して、１つまたは複数のネットワークと双方向に通信し得る。たとえば、トランシーバモジュール１０３５は、基地局１０５および／または別のＵＥ１１５と双方向に通信し得る。トランシーバモジュール１０３５は、パケットを変調し、変調されたパケットを送信のために（１つまたは複数の）アンテナ１０４０に与え、（１つまたは複数の）アンテナ１０４０から受信されたパケットを復調するためのモデムを含み得る。ＵＥ１１５−ｄは、単一のアンテナ１０４０を含み得るが、ＵＥ１１５−ｄはまた、複数のワイヤレス送信を同時に送信および／または受信することが可能な複数のアンテナ１０４０を有し得る。
【００６４】
[0080]メモリ１０１５は、ランダムアクセスメモリ（ＲＡＭ）および読取り専用メモリ（ＲＯＭ）を含み得る。メモリ１０１５は、実行されたとき、プロセッサモジュール１００５に本明細書で説明される様々な機能（たとえば、ＣＩｏＴシステムのための周波数リソースの割振りなど）を実行させる命令を含むコンピュータ可読、コンピュータ実行可能ソフトウェア／ファームウェアコード１０２０を記憶し得る。代替的に、ソフトウェア／ファームウェアコード１０２０は、プロセッサモジュール１００５によって直接的に実行可能でないことがあるが、（たとえば、コンパイルされ実行されたとき）コンピュータに本明細書で説明される機能を実行させ得る。プロセッサモジュール１００５は、インテリジェントハードウェアデバイス、（たとえば、中央処理ユニット（ＣＰＵ）、マイクロコントローラ、ＡＳＩＣなど）を含み得る。
【００６５】
[0081]図１１は、本開示の様々な態様による、ＣＩｏＴシステムのための周波数リソースの割振りのために構成された基地局１０５を含むシステム１１００の図を示す。システム１１００は、図１〜図９を参照しながら上記で説明されたように、デバイス７０１、デバイス８０１、または基地局１０５の一例であり得る、基地局１０５−ｅを含み得る。基地局１０５−ｅは、図７〜図９を参照しながら説明された通信管理モジュール７１０の一例であり得る、基地局通信管理モジュール１１１０を含み得る。基地局１０５−ｅは、通信を送信するための構成要素と通信を受信するための構成要素とを含む、双方向音声およびデータ通信のための構成要素をも含み得る。たとえば、基地局１０５−ｅは、（ＭＴＣまたはＣＩｏＴデバイスであり得る）ＵＥ１１５−ｅまたはＵＥ１１５−ｆと双方向に通信し得る。
【００６６】
[0082]いくつかの場合には、基地局１０５−ｅは、１つまたは複数のワイヤードバックホールリンクを有し得る。基地局１０５−ｅは、コアネットワーク１３０へのワイヤードバックホールリンク（たとえば、Ｓ１インターフェースなど）を有し得る。基地局１０５−ｅはまた、基地局間バックホールリンク（たとえば、Ｘ２インターフェース）を介して、基地局１０５−ｆおよび基地局１０５−ｇなど、他の基地局１０５と通信し得る。基地局１０５の各々は、同じまたは異なるワイヤレス通信技術を使用してＵＥ１１５と通信し得る。いくつかの場合には、基地局１０５−ｅは、基地局通信モジュール１１２５を利用して１０５−ｆまたは１０５−ｇなどの他の基地局と通信し得る。いくつかの実施形態では、基地局通信モジュール１１２５は、基地局１０５のうちのいくつかの間の通信を行うために、ＬＴＥ／ＬＴＥ−Ａワイヤレス通信ネットワーク技術内のＸ２インターフェースを与え得る。いくつかの実施形態では、基地局１０５−ｅは、コアネットワーク１３０を通して他の基地局と通信し得る。いくつかの場合には、基地局１０５−ｅは、ネットワーク通信モジュール１１３０を通してコアネットワーク１３０と通信し得る。
【００６７】
[0083]基地局１０５−ｅは、プロセッサモジュール１１０５と、（ソフトウェア（ＳＷ）１１２０を含む）メモリ１１１５と、トランシーバモジュール１１３５と、（１つまたは複数の）アンテナ１１４０とを含み得、その各々は、（たとえば、バスシステム１１４５を介して）互いに直接または間接的に通信していることがある。トランシーバモジュール１１３５は、（１つまたは複数の）アンテナ１１４０を介して、マルチモードデバイスであり得るＵＥ１１５と双方向に通信するように構成され得る。トランシーバモジュール１１３５（または基地局１０５−ｅの他の構成要素）はまた、アンテナ１１４０を介して、１つまたは複数の他の基地局（図示せず）と双方向に通信するように構成され得る。トランシーバモジュール１１３５は、パケットを変調し、変調されたパケットを送信のためにアンテナ１１４０に与え、アンテナ１１４０から受信されたパケットを復調するように構成されたモデムを含み得る。基地局１０５−ｅは、各々が１つまたは複数の関連するアンテナ１１４０をもつ、複数のトランシーバモジュール１１３５を含み得る。トランシーバモジュールは、図６の組み合わせられた受信機および送信機の一例であり得る。
【００６８】
[0084]メモリ１１１５はＲＡＭおよびＲＯＭを含み得る。メモリ１１１５はまた、実行されたとき、プロセッサモジュール１１１０に本明細書で説明される様々な機能（たとえば、ＣＩｏＴシステムのための周波数リソースの割振りなど）を実行させるように構成された命令を含んでいるコンピュータ可読、コンピュータ実行可能ソフトウェアコード１１２０を記憶し得る。代替的に、ソフトウェアコード１１２０は、プロセッサモジュール１１０５によって直接的に実行可能でないことがあるが、（たとえば、コンパイルされ実行されたとき）コンピュータに本明細書で説明される機能を実行させるように構成され得る。プロセッサモジュール１１０５は、インテリジェントハードウェアデバイス（たとえば、ＣＰＵ、マイクロコントローラ、ＡＳＩＣなど）を含み得る。プロセッサモジュール１１０５は、エンコーダ、キュー処理モジュール、ベースバンドプロセッサ、無線ヘッドコントローラ、デジタル信号プロセッサ（ＤＳＰ）など、様々な専用プロセッサを含み得る。
【００６９】
[0085]基地局通信モジュール１１２５は、他の基地局１０５との通信を管理し得る。通信管理モジュールは、他の基地局１０５と協働してＵＥ１１５との通信を制御するためのコントローラまたはスケジューラを含み得る。たとえば、基地局通信モジュール１１２５は、ビームフォーミングまたはジョイント送信などの様々な干渉緩和技法のためのＵＥ１１５への送信のためのスケジューリングを協調させ得る。
【００７０】
[0086]図１２は、本開示の様々な態様による、ＣＩｏＴシステムのための周波数リソースの割振りのための方法１２００を示すフローチャートを示す。方法１２００の動作は、図１〜図１０を参照しながら説明されたようにＵＥ１１５またはそれの構成要素によって、図１〜図１１を参照しながら説明されたように基地局１０５またはそれの構成要素によって、あるいは図７または図８を参照しながら説明されたデバイス７０１または８０１によって実施され得る。たとえば、方法１２００の動作は、図７〜図１１を参照しながら説明されたように通信管理モジュール７１０によって実行され得る。いくつかの例では、ＵＥ１１５または基地局１０５は、以下で説明される機能を実行するようにＵＥ１１５または基地局１０５の機能要素を制御するためのコードのセットを実行し得る。追加または代替として、ＵＥ１１５または基地局は、専用ハードウェアを使用して、以下で説明される機能の態様を実行し得る。
【００７１】
[0087]ブロック１２０５において、方法１２００は、図２〜図６を参照しながら上記で説明されたように、第１のワイヤレス通信ネットワーク上でのワイヤレス通信のための狭帯域トーンの第１のセットを識別することを含む。いくつかの例では、ブロック１２０５の動作は、図８〜図９を参照しながら上記で説明されたように、トーン識別モジュール８０５によって実行され得る。
【００７２】
[0088]ブロック１２１０において、方法１２００は、図２〜図６を参照しながら上記で説明されたように、トーンの第１のセットのうちのトーンの第２のグループよりも高い電力の送信をサポートするトーンの第１のグループを狭帯域トーンの第１のセットから識別することを含み得、識別が、第１のグループのトーンと第２のワイヤレス通信ネットワーク上でのワイヤレス通信のための広帯域トーンの第２のセットとの間の干渉レベルに少なくとも部分的に基づく。いくつかの例では、ブロック１２１０の動作は、図８〜図９を参照しながら上記で説明されたように、グループ識別モジュール８１０によって実行され得る。
【００７３】
[0089]図１３は、本開示の様々な態様による、ＣＩｏＴシステムのための周波数リソースの割振りのための方法１３００を示すフローチャートを示す。方法１３００の動作は、図１〜図１１を参照しながら説明されたように基地局１０５またはそれの構成要素によって、あるいは図７または図８を参照しながら説明されたデバイス７０１または８０１によって実施され得る。たとえば、方法１３００の動作は、図７〜図１１を参照しながら説明されたように通信管理モジュール７１０によって実行され得る。いくつかの例では、基地局１０５は、以下で説明される機能を実行するように基地局１０５の機能要素を制御するためのコードのセットを実行し得る。追加または代替として、基地局１０５は、専用ハードウェアを使用して、以下で説明される機能の態様を実行し得る。
【００７４】
[0090]ブロック１３０５において、方法１３００は、図２〜図６を参照しながら上記で説明されたように、第１のワイヤレス通信ネットワーク上でのワイヤレス通信のための狭帯域トーンの第１のセットを識別することを含む。いくつかの例では、ブロック１３０５の動作は、図８〜図９を参照しながら上記で説明されたように、トーン識別モジュール８０５によって実行され得る。
【００７５】
[0091]ブロック１３１０において、方法１３００は、図２〜図６を参照しながら上記で説明されたように、トーンの第１のセットのうちのトーンの第２のグループよりも高い電力の送信をサポートするトーンの第１のグループを狭帯域トーンの第１のセットから識別することを含み得、識別が、第１のグループのトーンと第２のワイヤレス通信ネットワーク上でのワイヤレス通信のための広帯域トーンの第２のセットとの間の干渉レベルに少なくとも部分的に基づく。いくつかの例では、ブロック１３１０の動作は、図８〜図９を参照しながら上記で説明されたように、グループ識別モジュール８１０によって実行され得る。
【００７６】
[0092]ブロック１３１５において、方法１３００は、図２〜図６を参照しながら上記で説明されたように、ＵＥがトーンの第１のグループ上での送信を必要とするチャネル状態を有すると決定することを含む。いくつかの例では、ブロック１３１５の動作は、図８〜図９を参照しながら上記で説明されたように、グループ識別モジュール８１０またはチャネル状態決定モジュール８１５によって実行され得る。
【００７７】
[0093]ブロック１３２０において、方法１３００は、図２〜図６を参照しながら上記で説明されたように、トーンの第１のグループが第１のワイヤレス通信ネットワーク上でのＵＥのアップリンク送信において使用するために割り振られることを示すリソース割振りをＵＥに送信することを含む。いくつかの例では、ブロック１３２０の動作は、図８〜図９を参照しながら上記で説明されたように、グループ識別モジュール８１０またはリソース割振りモジュール９２０によって実行され得る。
【００７８】
[0094]図１４は、本開示の様々な態様による、ＣＩｏＴシステムのための周波数リソースの割振りのための方法１４００を示すフローチャートを示す。方法１４００の動作は、図１〜図１１を参照しながら説明されたように基地局１０５またはそれの構成要素によって、あるいは図７または図８を参照しながら説明されたデバイス７０１または８０１によって実施され得る。たとえば、方法１４００の動作は、図７〜図１１を参照しながら説明されたように通信管理モジュール７１０によって実行され得る。いくつかの例では、基地局１０５は、以下で説明される機能を実行するように基地局１０５の機能要素を制御するためのコードのセットを実行し得る。追加または代替として、基地局１０５は、専用ハードウェアを使用して、以下で説明される機能の態様を実行し得る。
【００７９】
[0095]ブロック１４０５において、方法１４００は、図２〜図６を参照しながら上記で説明されたように、第１のワイヤレス通信ネットワーク上でのワイヤレス通信のための狭帯域トーンの第１のセットを識別することを含む。いくつかの例では、ブロック１４０５の動作は、図８〜図９を参照しながら上記で説明されたように、トーン識別モジュール８０５によって実行され得る。
【００８０】
[0096]ブロック１４１０において、方法１４００は、図２〜図６を参照しながら上記で説明されたように、トーンの第１のセットのうちのトーンの第２のグループよりも高い電力の送信をサポートするトーンの第１のグループを狭帯域トーンの第１のセットから識別することを含み得、識別が、第１のグループのトーンと第２のワイヤレス通信ネットワーク上でのワイヤレス通信のための広帯域トーンの第２のセットとの間の干渉レベルに少なくとも部分的に基づく。いくつかの例では、ブロック１４１０の動作は、図８〜図９を参照しながら上記で説明されたように、グループ識別モジュール８１０によって実行され得る。
【００８１】
[0097]ブロック１４１５において、方法１４００は、図２〜図６を参照しながら上記で説明されたように、トーンの第１のグループのうちの１つまたは複数のトーン上でより高い電力の送信を使用して１つまたは複数のダウンリンク送信を第１のＵＥに送信することを含む。いくつかの例では、ブロック１４１５の動作は、図７〜図９を参照しながら上記で説明されたように、グループ識別モジュール８１０または送信機７１５によって実行され得る。
【００８２】
[0098]ブロック１４２０において、方法１４００は、図２〜図６を参照しながら上記で説明されたように、第２のグループトーンのうちの１つまたは複数のトーン上でより低い電力の送信を使用して１つまたは複数のダウンリンク送信を第２のＵＥに送信することを含む。いくつかの例では、ブロック１４２０の動作は、図７〜図９を参照しながら上記で説明されたように、グループ識別モジュール８１０または送信機７１５によって実行され得る。
【００８３】
[0099]図１５は、本開示の様々な態様による、ＣＩｏＴシステムのための周波数リソースの割振りのための方法１５００を示すフローチャートを示す。方法１５００の動作は、図１〜図１１を参照しながら説明されたように基地局１０５またはそれの構成要素によって、あるいは図７または図８を参照しながら説明されたデバイス７０１または８０１によって実施され得る。たとえば、方法１５００の動作は、図７〜図１１を参照しながら説明されたように通信管理モジュール７１０によって実行され得る。いくつかの例では、基地局１０５は、以下で説明される機能を実行するように基地局１０５の機能要素を制御するためのコードのセットを実行し得る。追加または代替として、基地局１０５は、専用ハードウェアを使用して、以下で説明される機能の態様を実行し得る。
【００８４】
[0100]ブロック１５０５において、方法１５００は、図２〜図６を参照しながら上記で説明されたように、第１のワイヤレス通信ネットワーク上でのワイヤレス通信のための狭帯域トーンの第１のセットを識別することを含む。いくつかの例では、ブロック１５０５の動作は、図８〜図９を参照しながら上記で説明されたように、トーン識別モジュール８０５によって実行され得る。
【００８５】
[0101]ブロック１５１０において、方法１５００は、図２〜図６を参照しながら上記で説明されたように、トーンの第１のセットのうちのトーンの第２のグループよりも高い電力の送信をサポートするトーンの第１のグループを狭帯域トーンの第１のセットから識別することを含み得、識別が、第１のグループのトーンと第２のワイヤレス通信ネットワーク上でのワイヤレス通信のための広帯域トーンの第２のセットとの間の干渉レベルに少なくとも部分的に基づく。いくつかの例では、ブロック１５１０の動作は、図８〜図９を参照しながら上記で説明されたように、グループ識別モジュール８１０によって実行され得る。
【００８６】
[0102]ブロック１５１５において、方法１５００は、図２〜図６を参照しながら上記で説明されたように、トーンの第２のグループの２つまたはそれ以上のサブセットを識別するためにトーンの第２のグループ内のフラクショナル周波数再利用を採用することを含む。いくつかの例では、ブロック１５１５の動作は、図７〜図９を参照しながら上記で説明されたように、グループ識別モジュール８１０またはＦＦＲモジュール９３５によって実行され得る。
【００８７】
[0103]ブロック１５２０において、方法１５００は、図２〜図６を参照しながら上記で説明されたように、それぞれトーンの第１のグループのための送信電力よりも低い異なる送信電力を使用して２つまたはそれ以上のサブセット上でダウンリンク通信を送信することを含む。いくつかの例では、ブロック１５２０の動作は、図７〜図９を参照しながら上記で説明されたように、グループ識別モジュール８１０、ＦＦＲモジュール９３５、または送信機７１５によって実行され得る。
【００８８】
[0104]図１６は、本開示の様々な態様による、ＣＩｏＴシステムのための周波数リソースの割振りのための方法１６００を示すフローチャートを示す。方法１６００の動作は、図１〜図１０を参照しながら説明されたようにＵＥ１１５またはそれの構成要素によって、あるいは図７または図８を参照しながら説明されたデバイス７０１または８０１によって実施され得る。たとえば、方法１６００の動作は、図７〜図１１を参照しながら説明されたように通信管理モジュール７１０によって実行され得る。いくつかの例では、ＵＥ１１５は、以下で説明される機能を実行するようにＵＥ１１５の機能要素を制御するためのコードのセットを実行し得る。追加または代替として、ＵＥ１１５は、専用ハードウェアを使用して、以下で説明される機能の態様を実行し得る。
【００８９】
[0105]ブロック１６０５において、方法１６００は、図２〜図６を参照しながら上記で説明されたように、トーンの第１のグループがアップリンク送信のために使用されるべきであることを示すリソース割振りを基地局から受信することを含む。いくつかの例では、ブロック１６０５の動作は、図８〜図９を参照しながら上記で説明されたように、グループ識別モジュール８１０またはリソース割振りモジュール９２０によって実行され得る。
【００９０】
[0106]ブロック１６１０において、方法１６００は、図２〜図６を参照しながら上記で説明されたように、トーンの第１のセットのうちのトーンの第２のグループよりも高い電力の送信をサポートするトーンの第１のグループを狭帯域トーンの第１のセットから識別することを含み得、識別が、第１のグループのトーンと第２のワイヤレス通信ネットワーク上でのワイヤレス通信のための広帯域トーンの第２のセットとの間の干渉レベルに少なくとも部分的に基づく。いくつかの例では、ブロック１６１０の動作は、図８〜図９を参照しながら上記で説明されたように、グループ識別モジュール８１０によって実行され得る。
【００９１】
[0107]ブロック１６１５において、方法１６００は、図２〜図６を参照しながら上記で説明されたように、トーンの第１のグループのうちの１つまたは複数のトーン上で１つまたは複数のアップリンク送信を基地局に送信することを含む。いくつかの例では、ブロック１６１５の動作は、図８〜図９を参照しながら上記で説明されたように、グループ識別モジュール８１０、周波数ホッピングモジュール９１５、または送信機７１５によって実行され得る。
【００９２】
[0108]したがって、方法１２００、１３００、１４００、１５００、および１６００は、ＣＩｏＴシステムのための周波数リソースの割振りを与え得る。方法１２００、１３００、１４００、１５００、および１６００は可能な実装形態を表すこと、ならびに動作およびステップは、他の実施形態が可能であるように、並べ替えられるかまたは場合によっては変更され得ることに留意されたい。いくつかの例では、方法１２００、１３００、１４００、１５００、および１６００のうちの２つまたはそれ以上からの態様が組み合わせられ得る。
【００９３】
[0109]本明細書で説明される技法は、ＣＤＭＡ、ＴＤＭＡ、ＦＤＭＡ、ＯＦＤＭＡ、ＳＣ−ＦＤＭＡ、および他のシステムなどの様々なワイヤレス通信システムのために使用され得る。「システム」および「ネットワーク」という用語は、しばしば互換的に使用される。ＣＤＭＡシステムは、ＣＤＭＡ２０００、ユニバーサル地上波無線アクセス（ＵＴＲＡ）などの無線技術を実装し得る。ＣＤＭＡ２０００は、ＩＳ−２０００、ＩＳ−９５、およびＩＳ−８５６規格をカバーする。ＩＳ−２０００リリース０およびＡは、一般に、ＣＤＭＡ２０００  １Ｘ、１Ｘなどと呼ばれる。ＩＳ−８５６（ＴＩＡ−８５６）は、一般に、ＣＤＭＡ２０００  １ｘＥＶ−ＤＯ、高速パケットデータ（ＨＲＰＤ：High Rate Packet Data）などと呼ばれる。ＵＴＲＡは、広帯域ＣＤＭＡ（ＷＣＤＭＡ（登録商標）：Wideband CDMA）およびＣＤＭＡの他の変形態を含む。ＴＤＭＡシステムは、モバイル通信用グローバルシステム（ＧＳＭ（登録商標）：Global System for Mobile Communications）などの無線技術を実装し得る。ＯＦＤＭＡシステムは、ウルトラモバイルブロードバンド（ＵＭＢ）、発展型ＵＴＲＡ（Ｅ−ＵＴＲＡ）、ＩＥＥＥ８０２．１１（ＷｉＦｉ（登録商標））、ＩＥＥＥ８０２．１６（ＷｉＭＡＸ（登録商標））、ＩＥＥＥ８０２．２０、Ｆｌａｓｈ−ＯＦＤＭ（登録商標）などの無線技術を実装し得る。ＵＴＲＡおよびＥ−ＵＴＲＡは、ユニバーサルモバイルテレコミュニケーションシステム（ＵＭＴＳ）の一部である。３ＧＰＰロングタームエボリューション（ＬＴＥ）およびＬＴＥアドバンスト（ＬＴＥ−Ａ）は、Ｅ−ＵＴＲＡを使用するＵＭＴＳの新しいリリースである。ＵＴＲＡ、Ｅ−ＵＴＲＡ、ＵＭＴＳ、ＬＴＥ、ＬＴＥ−Ａ、およびＧＳＭは、「第３世代パートナーシッププロジェクト」（３ＧＰＰ：3rd Generation Partnership Project）と称する団体からの文書に記載されている。ＣＤＭＡ２０００およびＵＭＢは、「第３世代パートナーシッププロジェクト２」（３ＧＰＰ２：3rd Generation Partnership Project 2）と称する団体からの文書に記載されている。本明細書で説明された技法は、無認可および／または共有帯域幅を介したセルラー（たとえば、ＬＴＥ）通信を含む、上述のシステムおよび無線技術、ならびに他のシステムおよび無線技術のために使用され得る。ただし、上記の説明では、例としてＬＴＥ／ＬＴＥ−Ａシステムについて説明し、上記の説明の大部分においてＬＴＥ用語が使用されるが、本技法はＬＴＥ／ＬＴＥ−Ａ適用例以外に適用可能である。
【００９４】
[0110]添付の図面に関して上記に記載された詳細な説明は、例について説明しており、実装され得るまたは特許請求の範囲内に入る例のみを表すものではない。「例」および「例示的」という語は、この説明で使用されるとき、「例、事例、または例示の働きをすること」を意味し、「好ましい」または「他の例よりも有利な」を意味しない。詳細な説明は、説明される技法の理解を与えるための具体的な詳細を含む。ただし、これらの技法は、これらの具体的な詳細なしに実施され得る。いくつかの事例では、説明された例の概念を不明瞭にすることを回避するために、よく知られている構造および装置がブロック図の形式で示されている。
【００９５】
[0111]情報および信号は、多種多様な技術および技法のいずれかを使用して表され得る。たとえば、上記の説明全体にわたって言及され得るデータ、命令、コマンド、情報、信号、ビット、シンボル、およびチップは、電圧、電流、電磁波、磁界または磁性粒子、光場または光学粒子、あるいはそれらの任意の組合せによって表され得る。
【００９６】
[0112]本明細書の開示に関して説明された様々な例示的なブロックおよび構成要素は、汎用プロセッサ、デジタル信号プロセッサ（ＤＳＰ）、ＡＳＩＣ、フィールドプログラマブルゲートアレイ（ＦＰＧＡ）または他のプログラマブル論理デバイス、個別ゲートまたはトランジスタ論理、個別ハードウェア構成要素、あるいは本明細書で説明された機能を実行するように設計されたそれらの任意の組合せを用いて実装または実行され得る。汎用プロセッサはマイクロプロセッサであり得るが、代替として、プロセッサは、任意の従来のプロセッサ、コントローラ、マイクロコントローラ、または状態機械であり得る。プロセッサは、コンピューティングデバイスの組合せ、たとえば、ＤＳＰとマイクロプロセッサとの組合せ、複数のマイクロプロセッサ、ＤＳＰコアと連携する１つまたは複数のマイクロプロセッサ、または任意の他のそのような構成としても実装され得る。
【００９７】
[0113]本明細書で説明された機能は、ハードウェア、プロセッサによって実行されるソフトウェア、ファームウェア、またはそれらの組合せで実装され得る。プロセッサによって実行されるソフトウェアで実装される場合、機能は、１つまたは複数の命令またはコードとして、コンピュータ可読媒体上に記憶されるか、またはコンピュータ可読媒体を介して送信され得る。他の例および実装形態は、本開示および添付の特許請求の範囲および趣旨内に入る。たとえば、ソフトウェアの性質により、上記で説明された機能は、プロセッサ、ハードウェア、ファームウェア、ハードワイヤリング、またはこれらのうちのいずれかの組合せによって実行されるソフトウェアを使用して実装され得る。機能を実装する特徴はまた、機能の部分が、異なる物理的ロケーションにおいて実装されるように分散されることを含めて、様々な位置に物理的に配置され得る。特許請求の範囲を含めて、本明細書で使用される場合、２つ以上の項目の列挙中で使用されるとき、「および／または」という用語は、列挙された項目のうちのいずれか１つが単独で採用され得ること、または列挙された項目のうちの２つ以上の任意の組合せが採用され得ることを意味する。たとえば、組成が、構成要素Ａ、Ｂ、および／またはＣを含んでいると記述されている場合、その組成は、Ａのみ、Ｂのみ、Ｃのみ、ＡとＢの組合せ、ＡとＣの組合せ、ＢとＣの組合せ、またはＡとＢとＣの組合せを含んでいることがある。また、特許請求の範囲を含めて、本明細書で使用される場合、項目の列挙（たとえば、「のうちの少なくとも１つ」あるいは「のうちの１つまたは複数」などの句で終わる項目の列挙）中で使用される「または」は、たとえば、「Ａ、Ｂ、またはＣのうちの少なくとも１つ」の列挙が、ＡまたはＢまたはＣまたはＡＢまたはＡＣまたはＢＣまたはＡＢＣ（すなわち、ＡおよびＢおよびＣ）を意味するような選言的列挙を示す。
【００９８】
[0114]コンピュータ可読媒体は、ある場所から別の場所へのコンピュータプログラムの転送を可能にする任意の媒体を含む、コンピュータ記憶媒体とコンピュータ通信媒体の両方を含む。記憶媒体は、汎用または専用コンピュータによってアクセスされ得る任意の利用可能な媒体であり得る。限定ではなく例として、コンピュータ可読媒体は、ＲＡＭ、ＲＯＭ、ＥＥＰＲＯＭ（登録商標）、フラッシュメモリ、ＣＤ−ＲＯＭまたは他の光ディスクストレージ、磁気ディスクストレージまたは他の磁気ストレージデバイス、あるいは命令またはデータ構造の形態の所望のプログラムコード手段を搬送または記憶するために使用され得、汎用もしくは専用コンピュータ、または汎用もしくは専用プロセッサによってアクセスされ得る、任意の他の媒体を備えることができる。また、いかなる接続もコンピュータ可読媒体と適切に呼ばれる。たとえば、ソフトウェアが、同軸ケーブル、光ファイバーケーブル、ツイストペア、デジタル加入者回線（ＤＳＬ）、または赤外線、無線、およびマイクロ波などのワイヤレス技術を使用して、ウェブサイト、サーバ、または他のリモートソースから送信される場合、同軸ケーブル、光ファイバーケーブル、ツイストペア、ＤＳＬ、または赤外線、無線、およびマイクロ波などのワイヤレス技術は、媒体の定義に含まれる。本明細書で使用されるディスク（disk）およびディスク（disc）は、コンパクトディスク（disc）（ＣＤ）、レーザーディスク（登録商標）（disc）、光ディスク（disc）、デジタル多用途ディスク（disc）（ＤＶＤ）、フロッピー（登録商標）ディスク（disk）およびＢｌｕ−ｒａｙ（登録商標）ディスク（disc）を含み、ここで、ディスク（disk）は、通常、データを磁気的に再生し、ディスク（disc）は、データをレーザーで光学的に再生する。上記の組合せもコンピュータ可読媒体の範囲内に含まれる。
【００９９】
[0115]本開示についての以上の説明は、当業者が本開示を作成または使用することができるように与えられたものである。本開示への様々な変更は当業者には容易に明らかとなり、本明細書で定義された一般原理は、本開示の範囲から逸脱することなく他の変形形態に適用され得る。したがって、本開示は、本明細書で説明された例および設計に限定されるべきでなく、本明細書で開示された原理および新規の特徴に合致する最も広い範囲を与えられるべきである。
以下に、本願の出願当初の特許請求の範囲に記載された発明を付記する。
［Ｃ１］
ワイヤレスデバイスにおける通信の方法であって、
第１のワイヤレス通信ネットワーク上でのワイヤレス通信のための狭帯域トーンの第１のセットを識別することと、
狭帯域トーンの前記第１のセットのうちのトーンの第２のグループよりも高い電力の送信をサポートするトーンの第１のグループを狭帯域トーンの前記第１のセットから識別することと、前記識別が、トーンの前記第１のグループと第２のワイヤレス通信ネットワーク上でのワイヤレス通信のための広帯域トーンの第２のセットとの間の干渉レベルに少なくとも部分的に基づく、
を備える、方法。
［Ｃ２］
狭帯域トーンの前記第１のセットが、前記第１のワイヤレス通信ネットワークの第１の利用可能なアップリンク／ダウンリンク帯域幅中の隣接するトーンの間に第１の周波数間隔を有する第１の複数のトーンを備え、広帯域トーンの前記第２のセットが、前記第２のワイヤレス通信ネットワークの第２の利用可能なアップリンク／ダウンリンク帯域幅中の隣接するトーンの間に第２の周波数間隔を有する第２の複数のトーンを備え、前記第２の周波数間隔が前記第１の周波数間隔の整数倍である、Ｃ１に記載の方法。
［Ｃ３］
前記第１のワイヤレス通信ネットワークの周波数キャリアと前記第２のワイヤレス通信ネットワークの周波数キャリアとの間の間隔が、前記第１の周波数間隔の整数倍である、Ｃ２に記載の方法。
［Ｃ４］
トーンの前記第１のグループが、狭帯域トーンの前記第１のセットのうちのトーンの前記第２のグループと比較して広帯域トーンの前記第２のセットのトーンとのより少ない干渉を生成するトーンを備える、Ｃ２に記載の方法。
［Ｃ５］
ユーザ機器（ＵＥ）がトーンの前記第１のグループ上での送信を必要とするチャネル状態を有すると決定することと、
トーンの前記第１のグループが前記第１のワイヤレス通信ネットワーク上での前記ＵＥのアップリンク送信において使用するために割り振られることを示すリソース割振りを前記ＵＥに送信することと
をさらに備える、Ｃ１に記載の方法。
［Ｃ６］
トーンの前記第１のグループのうちの１つまたは複数のトーン上でより高い電力の送信を使用して１つまたは複数のダウンリンク送信を第１のＵＥに送信することと、
トーンの前記第２のグループのうちの１つまたは複数のトーン上でより低い電力の送信を使用して１つまたは複数のダウンリンク送信を第２のＵＥに送信することと
をさらに備える、Ｃ１に記載の方法。
［Ｃ７］
前記第１のＵＥが、信頼できる通信のためにより高い電力の送信が必要であることを示すチャネル状態を有すると決定すること
をさらに備える、Ｃ６に記載の方法。
［Ｃ８］
前記決定することが、前記第１のＵＥへの前記通信のためのレイテンシターゲットと前記第１のＵＥに関連する経路損失とに少なくとも部分的に基づく、Ｃ７に記載の方法。
［Ｃ９］
前記１つまたは複数のダウンリンク送信を前記第１のＵＥに送信することが、トーンの前記第１のグループのトーンの間の周波数ホッピングを使用することを備える、Ｃ６に記載の方法。
［Ｃ１０］
トーンの前記第２のグループの２つまたはそれ以上のサブセットを識別するためにトーンの前記第２のグループ内のフラクショナル周波数再利用を採用することと、
それぞれトーンの前記第１のグループのための送信電力よりも低い異なる電力を使用して、前記２つまたはそれ以上のサブセット上でダウンリンク通信を送信することと
をさらに備える、Ｃ１に記載の方法。
［Ｃ１１］
トーンの前記第１のグループを狭帯域トーンの前記第１のセットから前記識別することが、
トーンの前記第１のグループがアップリンク送信のために使用されるべきであることを示すリソース割振りを基地局から受信すること
を備える、Ｃ１に記載の方法。
［Ｃ１２］
トーンの前記第１のグループのうちの１つまたは複数のトーン上で１つまたは複数のアップリンク送信を前記基地局に送信すること
をさらに備える、Ｃ１１に記載の方法。
［Ｃ１３］
前記１つまたは複数のアップリンク送信を前記基地局に送信することが、トーンの前記第１のグループのトーンの間の周波数ホッピングを使用して送信することを備える、
をさらに備える、Ｃ１２に記載の方法。
［Ｃ１４］
トーンの前記第２のグループがアップリンク送信のために使用されるべきであることを示すリソース割振りを基地局から受信することと、
トーンの前記第２のグループの２つまたはそれ以上のサブセットを識別するためにトーンの前記第２のグループ内のフラクショナル周波数再利用を採用することと、
それぞれトーンの前記第１のグループのための送信電力よりも低い異なる電力を使用して前記２つまたはそれ以上のサブセット上でアップリンク通信を送信することと
をさらに備える、Ｃ１に記載の方法。
［Ｃ１５］
狭帯域トーンの前記第１のセットが直交周波数分割多元接続（ＯＦＤＭＡ）トーンを備え、広帯域トーンの前記第２のセットがＯＦＤＭＡトーンを備える、Ｃ１に記載の方法。
［Ｃ１６］
ワイヤレスデバイスにおける通信のための装置であって、
第１のワイヤレス通信ネットワーク上でのワイヤレス通信のための狭帯域トーンの第１のセットを識別するための手段と、
狭帯域トーンの前記第１のセットのうちのトーンの第２のグループよりも高い電力の送信をサポートするトーンの第１のグループを狭帯域トーンの前記第１のセットから識別するための手段と、前記識別が、トーンの前記第１のグループと第２のワイヤレス通信ネットワーク上でのワイヤレス通信のための広帯域トーンの第２のセットとの間の干渉レベルに少なくとも部分的に基づく、
を備える、装置。
［Ｃ１７］
狭帯域トーンの前記第１のセットが、前記第１のワイヤレス通信ネットワークの第１の利用可能なアップリンク／ダウンリンク帯域幅中の隣接するトーンの間に第１の周波数間隔を有する第１の複数のトーンを備え、広帯域トーンの前記第２のセットが、前記第２のワイヤレス通信ネットワークの第２の利用可能なアップリンク／ダウンリンク帯域幅中の隣接するトーンの間に第２の周波数間隔を有する第２の複数のトーンを備え、前記第２の周波数間隔が前記第１の周波数間隔の整数倍である、Ｃ１６に記載の装置。
［Ｃ１８］
前記第１のワイヤレス通信ネットワークの周波数キャリアと前記第２のワイヤレス通信ネットワークの周波数キャリアとの間の間隔が、前記第１の周波数間隔の整数倍である、Ｃ１７に記載の装置。
［Ｃ１９］
トーンの前記第１のグループが、狭帯域トーンの前記第１のセットのうちのトーンの前記第２のグループと比較して広帯域トーンの前記第２のセットのトーンとのより少ない干渉を生成するトーンを備える、Ｃ１７に記載の装置。
［Ｃ２０］
ユーザ機器（ＵＥ）がトーンの前記第１のグループ上での送信を必要とするチャネル状態を有すると決定するための手段と、
トーンの前記第１のグループが前記第１のワイヤレス通信ネットワーク上での前記ＵＥのアップリンク送信において使用するために割り振られることを示すリソース割振りを前記ＵＥに送信するための手段と
をさらに備える、Ｃ１６に記載の装置。
［Ｃ２１］
トーンの前記第１のグループのうちの１つまたは複数のトーン上でより高い電力の送信を使用して１つまたは複数のダウンリンク送信を第１のＵＥに送信するための手段と、  トーンの前記第２のグループのうちの１つまたは複数のトーン上でより低い電力の送信を使用して１つまたは複数のダウンリンク送信を第２のＵＥに送信するための手段と
をさらに備える、Ｃ１６に記載の装置。
［Ｃ２２］
前記第１のＵＥが、信頼できる通信のためにより高い電力の送信が必要であることを示すチャネル状態を有すると決定するための手段
をさらに備える、Ｃ２１に記載の装置。
［Ｃ２３］
前記決定することが、前記第１のＵＥへの前記通信のためのレイテンシターゲットと前記第１のＵＥに関連する経路損失とに少なくとも部分的に基づく、Ｃ２２に記載の装置。
［Ｃ２４］
前記１つまたは複数のダウンリンク送信を前記第１のＵＥに送信するための手段が、トーンの前記第１のグループのトーンの間の周波数ホッピングを使用して送信することを備える、
をさらに備える、Ｃ２１に記載の装置。
［Ｃ２５］
トーンの前記第２のグループの２つまたはそれ以上のサブセットを識別するためにトーンの前記第２のグループ内のフラクショナル周波数再利用を採用するための手段と、
それぞれトーンの前記第１のグループのための送信電力よりも低い異なる電力を使用して前記２つまたはそれ以上のサブセット上でダウンリンク通信を送信するための手段とをさらに備える、Ｃ１６に記載の装置。
［Ｃ２６］
トーンの前記第２のグループがアップリンク送信のために使用されるべきであることを示すリソース割振りを基地局から受信するための手段と、
トーンの前記第２のグループの２つまたはそれ以上のサブセットを識別するためにトーンの前記第２のグループ内のフラクショナル周波数再利用を採用するための手段と、
それぞれトーンの前記第１のグループのための送信電力よりも低い異なる電力を使用して前記２つまたはそれ以上のサブセット上でアップリンク通信を送信するための手段とをさらに備える、Ｃ１６に記載の装置。
［Ｃ２７］
ワイヤレスデバイスにおける通信のための装置であって、
プロセッサと、
前記プロセッサと電子通信しているメモリと、
前記メモリに記憶された命令と
を備え、ここにおいて、前記命令は、
第１のワイヤレス通信ネットワーク上でのワイヤレス通信のための狭帯域トーンの第１のセットを識別することと、
狭帯域トーンの前記第１のセットのうちのトーンの第２のグループよりも高い電力の送信をサポートするトーンの第１のグループを狭帯域トーンの前記第１のセットから識別することと、前記識別が、トーンの前記第１のグループと第２のワイヤレス通信ネットワーク上でのワイヤレス通信のための広帯域トーンの第２のセットとの間の干渉レベルに少なくとも部分的に基づく、
を行うために前記プロセッサによって実行可能である、装置。
［Ｃ２８］
狭帯域トーンの前記第１のセットが、前記第１のワイヤレス通信ネットワークの第１の利用可能なアップリンク／ダウンリンク帯域幅中の隣接するトーンの間に第１の周波数間隔を有する第１の複数のトーンを備え、広帯域トーンの前記第２のセットが、前記第２のワイヤレス通信ネットワークの第２の利用可能なアップリンク／ダウンリンク帯域幅中の隣接するトーンの間に第２の周波数間隔を有する第２の複数のトーンを備え、前記第２の周波数間隔が前記第１の周波数間隔の整数倍である、Ｃ２７に記載の装置。
［Ｃ２９］
前記命令は、
ユーザ機器（ＵＥ）がトーンの前記第１のグループ上での送信を必要とするチャネル状態を有すると決定することと、
トーンの前記第１のグループが前記第１のワイヤレス通信ネットワーク上での前記ＵＥのアップリンク送信において使用するために割り振られることを示すリソース割振りを前記ＵＥに送信することと
を行うために前記プロセッサによって実行可能である、Ｃ２７に記載の装置。
［Ｃ３０］
ワイヤレスデバイスにおける通信のためのコードを記憶する非一時的コンピュータ可読媒体であって、前記コードは、
第１のワイヤレス通信ネットワーク上でのワイヤレス通信のための狭帯域トーンの第１のセットを識別することと、
狭帯域トーンの前記第１のセットのうちのトーンの第２のグループよりも高い電力の送信をサポートするトーンの第１のグループを狭帯域トーンの前記第１のセットから識別することと、前記識別が、トーンの前記第１のグループと第２のワイヤレス通信ネットワーク上でのワイヤレス通信のための広帯域トーンの第２のセットとの間の干渉レベルに少なくとも部分的に基づく、
を行うために実行可能な命令を備える、非一時的コンピュータ可読媒体。
【図１】
0006644806.tif 000002
【図２】
0006644806.tif 000003
【図３Ａ】
0006644806.tif 000004
【図３Ｂ】
0006644806.tif 000005
【図４】
0006644806.tif 000006
【図５】
0006644806.tif 000007
【図６】
0006644806.tif 000008
【図７】
0006644806.tif 000009
【図８】
0006644806.tif 000010
【図９】
0006644806.tif 000011
【図１０】
0006644806.tif 000012
【図１１】
0006644806.tif 000013
【図１２】
0006644806.tif 000014
【図１３】
0006644806.tif 000015
【図１４】
0006644806.tif 000016
【図１５】
0006644806.tif 000017
【図１６】
0006644806.tif 000018